(57)【要約】  対応する方法、ビジネスメソッド、およびコンピュータプログラムを有する装置は、暗号化およびエンコードされたビデオデータのパケットをネットワークから受信する入力回路と、暗号化およびエンコードされたビデオデータを記憶する記憶デバイスと、記憶デバイスから暗号化およびエンコードされたビデオデータを取得する取得回路と、取得回路が記憶デバイスから暗号化およびエンコードされたビデオデータを取得しているときに、暗号化およびエンコードされたビデオデータを、エンコードされたビデオデータに復号化する復号回路と、復号回路が暗号化およびエンコードされたビデオデータを復号化しているときに、エンコードされたビデオデータを表す信号を送信する出力回路と、を備える。【選択図】  図１
2010507986.tif 000002
【特許請求の範囲】
【請求項１】
暗号化およびエンコードされたビデオデータのパケットをネットワークから受信する入力回路と、
前記暗号化およびエンコードされたビデオデータを記憶する記憶デバイスと、
前記記憶デバイスから前記暗号化およびエンコードされたビデオデータを取得する取得回路と、
前記取得回路が前記記憶デバイスから前記暗号化およびエンコードされたビデオデータを取得しているときに、前記暗号化およびエンコードされたビデオデータを、エンコードされたビデオデータに復号化する復号回路と、
前記復号回路が前記暗号化およびエンコードされたビデオデータを復号化しているときに、前記エンコードされたビデオデータを表す信号を送信する出力回路と、を備える装置。
【請求項２】
前記暗号化およびエンコードされたビデオデータのパケットは、前記暗号化およびエンコードされたビデオデータのインターネットプロトコルパケットを含む、請求項１に記載の装置。
【請求項３】
前記暗号化およびエンコードされたビデオデータのパケットは、前記暗号化およびエンコードされたビデオデータのイーサネットパケットを含む、請求項１に記載の装置。
【請求項４】
前記記憶デバイスは、前記エンコードされたビデオデータの実体部分は記憶しない、請求項１に記載の装置。
【請求項５】
前記ビデオデータは１以上のビデオを表し、
前記装置は、
前記記憶デバイスに記憶されている前記ビデオの数を判断するキュー回路と、
前記記憶デバイスに記憶されている前記ビデオの数を表すメッセージを前記ネットワークに送信するさらなる出力回路と、をさらに備える、請求項１に記載の装置。
【請求項６】
前記記憶デバイスに記憶されている前記ビデオのうち１つを廃棄するコマンドを受信する制御回路をさらに備え、
前記記憶デバイスは、前記制御回路に呼応して、前記ビデオのうち前記１つを廃棄し、
前記キュー回路はその後、前記記憶デバイスに記憶されている前記ビデオの現在の数を判断し、
前記さらなる出力回路はその後、前記記憶デバイスに記憶されている前記ビデオの前記現在の数を表すメッセージを前記ネットワークに送信する、請求項５に記載の装置。
【請求項７】
前記ネットワークはインターネットを含む、請求項１に記載の装置。
【請求項８】
前記エンコードされたビデオデータを表す前記信号を受信するさらなる入力回路と、
前記さらなる入力回路が前記エンコードされたビデオデータを表す前記信号を受信しているときに、前記エンコードされたビデオデータをビデオデータにデコードするデコード回路と、
前記デコード回路が前記エンコードされたビデオデータをデコードしているときに、前記ビデオデータを表すマルチメディア信号を出力するさらなる出力回路と、をさらに備える、請求項１に記載の装置。
【請求項９】
前記装置は、前記ビデオデータまたは前記エンコードされたビデオデータの実体部分を記憶しない、請求項８に記載の装置。
【請求項１０】
前記マルチメディア信号は高精細テレビ信号を含む、請求項８に記載の装置。
【請求項１１】
前記暗号化およびエンコードされたビデオデータのパケットと、第１の他のデータとを前記ネットワークから受信して、第２の他のデータを前記ネットワークに送信する第１ネットワークポートと、
前記第１の他のデータをローカルネットワークに送信して、前記第２の他のデータを前記ローカルネットワークから受信する第２ネットワークポートと、
前記暗号化およびエンコードされたビデオデータのパケットを前記第１ネットワークポートから前記入力回路に渡し、前記第１の他のデータおよび前記第２の他のデータを前記第１ネットワークポートおよび前記第２ネットワークポートの間でやりとりさせるスイッチと、をさらに備える、請求項１に記載の装置。
【請求項１２】
前記第１ネットワークポートは第１音声データを受信して、第２音声データを送信し、
前記装置は、
前記第１音声データを表す第１アナログ電話信号を送信し、前記第２音声データを表す第２アナログ電話信号を受信するアナログ電話インタフェースをさらに備え、
前記スイッチは、前記第１ネットワークポートおよび前記アナログ電話インタフェースの間で前記第１音声データおよび前記第２音声データをやりとりさせる、請求項１１に記載の装置。
【請求項１３】
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、請求項１に記載の装置。
【請求項１４】
暗号化およびエンコードされたビデオデータのパケットをネットワークから受信する入力手段と、
前記暗号化およびエンコードされたビデオデータを記憶する記憶手段と、
前記記憶手段から前記暗号化およびエンコードされたビデオデータを取得する取得手段と、
前記取得手段が前記記憶手段から前記暗号化およびエンコードされたビデオデータを取得しているときに、前記暗号化およびエンコードされたビデオデータを、エンコードされたビデオデータに復号化する復号手段と、
前記復号手段が前記暗号化およびエンコードされたビデオデータを復号化しているときに、前記エンコードされたビデオデータを表す信号を送信する出力手段と、を備える装置。
【請求項１５】
前記暗号化およびエンコードされたビデオデータのパケットは、前記暗号化およびエンコードされたビデオデータのインターネットプロトコルパケットを含む、請求項１４に記載の装置。
【請求項１６】
前記暗号化およびエンコードされたビデオデータのパケットは、前記暗号化およびエンコードされたビデオデータのイーサネットパケットを含む、請求項１４に記載の装置。
【請求項１７】
前記記憶手段は、前記エンコードされたビデオデータの実体部分を記憶しない、請求項１４に記載の装置。
【請求項１８】
前記ビデオデータは１以上のビデオを表し、
前記装置は、
前記記憶手段に記憶されている前記ビデオの数を判断するキュー手段と、
前記記憶手段に記憶されている前記ビデオの数を表すメッセージを前記ネットワークに送信するさらなる出力手段と、をさらに備える、請求項１４に記載の装置。
【請求項１９】
前記記憶手段に記憶されている前記ビデオのうち１つを廃棄するコマンドを受信する制御手段をさらに備え、
前記記憶手段は、前記制御手段に呼応して、前記ビデオのうち前記１つを廃棄し、
前記キュー手段はその後、前記記憶手段に記憶されている前記ビデオの現在の数を判断し、
前記さらなる出力手段はその後、前記記憶手段に記憶されている前記ビデオの前記現在の数を表すメッセージを前記ネットワークに送信する、請求項１８に記載の装置。
【請求項２０】
前記ネットワークはインターネットを含む、請求項１４に記載の装置。
【請求項２１】
前記エンコードされたビデオデータを表す前記信号を受信するさらなる入力手段と、
前記さらなる入力手段が前記エンコードされたビデオデータを表す前記信号を受信しているときに、前記エンコードされたビデオデータをビデオデータにデコードするデコード手段と、
前記デコード手段が前記エンコードされたビデオデータをデコードしているときに、前記ビデオデータを表すマルチメディア信号を出力するさらなる出力手段と、をさらに備える、請求項１４に記載の装置。
【請求項２２】
前記装置は、前記ビデオデータまたは前記エンコードされたビデオデータの実体部分を記憶しない、請求項２１に記載の装置。
【請求項２３】
前記マルチメディア信号は高精細テレビ信号を含む、請求項２１に記載の装置。
【請求項２４】
前記暗号化およびエンコードされたビデオデータのパケットと、第１の他のデータとを前記ネットワークから受信して、第２の他のデータを前記ネットワークに送信する第１ネットワークポート手段と、
前記第１の他のデータをローカルネットワークに送信して、前記第２の他のデータを前記ローカルネットワークから受信する第２ネットワークポート手段と、
前記暗号化およびエンコードされたビデオデータのパケットを前記第１ネットワークポート手段から前記入力手段に渡し、前記第１の他のデータおよび前記第２の他のデータを前記第１ネットワークポート手段および前記第２ネットワークポート手段の間でやりとりさせるスイッチ手段と、をさらに備える、請求項１４に記載の装置。
【請求項２５】
前記第１ネットワークポート手段は第１音声データを受信して、第２音声データを送信し、
前記装置は、
前記第１音声データを表す第１アナログ電話信号を送信し、前記第２音声データを表す第２アナログ電話信号を受信するアナログ電話インタフェース手段をさらに備え、
前記スイッチ手段は、前記第１ネットワークポート手段および前記アナログ電話インタフェース手段の間で前記第１音声データおよび前記第２音声データをやりとりさせる、請求項２４に記載の装置。
【請求項２６】
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、請求項１４に記載の装置。
【請求項２７】
暗号化およびエンコードされたビデオデータのパケットをネットワークから受信する段階と、
前記暗号化およびエンコードされたビデオデータを記憶デバイスに記憶する段階と、
前記記憶デバイスから前記暗号化およびエンコードされたビデオデータを取得する段階と、
前記記憶デバイスから前記暗号化およびエンコードされたビデオデータを取得しているときに、前記暗号化およびエンコードされたビデオデータを、エンコードされたビデオデータに復号化する段階と、
前記暗号化およびエンコードされたビデオデータを復号化しているときに、前記エンコードされたビデオデータを表す信号を送信する段階と、を備える方法。
【請求項２８】
前記暗号化およびエンコードされたビデオデータのパケットは、前記暗号化およびエンコードされたビデオデータのインターネットプロトコルパケットを含む、請求項２７に記載の方法。
【請求項２９】
前記暗号化およびエンコードされたビデオデータのパケットは、前記暗号化およびエンコードされたビデオデータのイーサネットパケットを含む、請求項２７に記載の方法。
【請求項３０】
前記記憶デバイスは、前記エンコードされたビデオデータの実体部分を記憶しない、請求項２７に記載の方法。
【請求項３１】
前記ビデオデータは１以上のビデオを表し、
前記方法は、
前記記憶デバイスに記憶されている前記ビデオの数を判断する段階と、
前記記憶デバイスに記憶されている前記ビデオの数を表すメッセージを前記ネットワークに送信する段階と、をさらに備える、請求項２７に記載の方法。
【請求項３２】
前記記憶デバイスに記憶されている前記ビデオのうち１つを廃棄するコマンドを受信する段階と、
前記コマンドに呼応して、前記ビデオのうち前記１つを廃棄する段階と、
前記記憶デバイスに記憶されている前記ビデオの現在の数を判断する段階と、
前記記憶デバイスに記憶されている前記ビデオの前記現在の数を表すメッセージを前記ネットワークに送信する段階と、をさらに備える、請求項２７に記載の方法。
【請求項３３】
前記ネットワークはインターネットを含む、請求項２７に記載の方法。
【請求項３４】
前記エンコードされたビデオデータを表す前記信号を受信する段階と、
前記エンコードされたビデオデータを表す前記信号を受信しているときに、前記エンコードされたビデオデータをビデオデータにデコードする段階と、
前記エンコードされたビデオデータをデコードしているときに、前記ビデオデータを表すマルチメディア信号を出力する段階と、をさらに備える、請求項２７に記載の方法。
【請求項３５】
前記マルチメディア信号は高精細テレビ信号を含む、請求項３４に記載の方法。
【請求項３６】
前記暗号化およびエンコードされたビデオデータのパケットと、第１の他のデータとを前記ネットワークから受信する段階と、
第２の他のデータを前記ネットワークに送信する段階と、
前記第１の他のデータをローカルネットワークに送信する段階と、
前記第２の他のデータを前記ローカルネットワークから受信する段階と、
前記暗号化およびエンコードされたビデオデータのパケットを前記記憶デバイスに渡す段階と、
前記第１の他のデータおよび前記第２の他のデータを前記ネットワークおよび前記ローカルネットワークの間でやりとりさせる段階と、をさらに備える、請求項２７に記載の方法。
【請求項３７】
前記ネットワークから第１音声データを受信する段階と、
前記ネットワークへ第２音声データを送信する段階と、
前記第１音声データを表す第１アナログ電話信号を送信する段階と、
前記第２音声データを表す第２アナログ電話信号を受信する段階と、をさらに備える、請求項２７に記載の方法。
【請求項３８】
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、請求項２７に記載の方法。
【請求項３９】
プロセッサで実行可能なコンピュータプログラムであって、
ネットワークからパケットとして受信した暗号化およびエンコードされたビデオデータを記憶デバイスに記憶させる命令と、
前記記憶デバイスから前記暗号化およびエンコードされたビデオデータを取得させる命令と、
前記記憶デバイスから前記暗号化およびエンコードされたビデオデータを取得しているときに、前記暗号化およびエンコードされたビデオデータを、エンコードされたビデオデータに復号化させる命令と、を備え、
前記暗号化およびエンコードされたビデオデータを復号化しているときに、前記エンコードされたビデオデータを表す信号が送信される、コンピュータプログラム。
【請求項４０】
前記暗号化およびエンコードされたビデオデータのパケットは、前記暗号化およびエンコードされたビデオデータのインターネットプロトコルパケットを含む、請求項３９に記載のコンピュータプログラム。
【請求項４１】
前記暗号化およびエンコードされたビデオデータのパケットは、前記暗号化およびエンコードされたビデオデータのイーサネットパケットを含む、請求項３９に記載のコンピュータプログラム。
【請求項４２】
前記記憶デバイスは、前記エンコードされたビデオデータの実体部分を記憶しない、請求項３９に記載のコンピュータプログラム。
【請求項４３】
前記ビデオデータは１以上のビデオを表し、
前記コンピュータプログラムは、
前記記憶デバイスに記憶されている前記ビデオの数を判断させる命令と、
前記記憶デバイスに記憶されている前記ビデオの数を表すメッセージを前記ネットワークに送信させる命令と、をさらに備える、請求項３９に記載のコンピュータプログラム。
【請求項４４】
前記記憶デバイスに記憶されている前記ビデオのうち１つを廃棄するコマンドの受信に呼応して、前記ビデオのうち前記１つを廃棄させる命令と、
前記記憶デバイスに記憶されている前記ビデオの現在の数を判断させる命令と、
前記記憶デバイスに記憶されている前記ビデオの前記現在の数を表すメッセージを前記ネットワークに送信させる命令と、をさらに備える、請求項３９に記載のコンピュータプログラム。
【請求項４５】
前記ネットワークはインターネットを含む、請求項３９に記載のコンピュータプログラム。
【請求項４６】
前記エンコードされたビデオデータを表す前記信号を受信しているときに、前記エンコードされたビデオデータをビデオデータにデコードさせる命令をさらに備え、
前記エンコードされたビデオデータをデコードしているときに、前記ビデオデータを表すマルチメディア信号が出力される、請求項３９に記載のコンピュータプログラム。
【請求項４７】
前記マルチメディア信号は高精細テレビ信号を含む、請求項４６に記載のコンピュータプログラム。
【請求項４８】
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している、請求項３９に記載のコンピュータプログラム。
【請求項４９】
暗号化およびエンコードされたビデオデータのパケットをネットワークから受信する入力回路と、
前記暗号化およびエンコードされたビデオデータを記憶する記憶デバイスと、
前記記憶デバイスから前記暗号化およびエンコードされたビデオデータを取得する取得回路と、
前記取得回路が前記記憶デバイスから前記暗号化およびエンコードされたビデオデータを取得しているときに、前記暗号化およびエンコードされたビデオデータを表す信号を送信する出力回路と、を備える装置。
【請求項５０】
前記暗号化およびエンコードされたビデオデータのパケットは、前記暗号化およびエンコードされたビデオデータのインターネットプロトコルパケットを含む、請求項４９に記載の装置。
【請求項５１】
前記暗号化およびエンコードされたビデオデータのパケットは、前記暗号化およびエンコードされたビデオデータのイーサネットパケットを含む、請求項４９に記載の装置。
【請求項５２】
前記ビデオデータは１以上のビデオを表し、
前記装置は、
前記記憶デバイスに記憶されている前記ビデオの数を判断するキュー回路と、
前記記憶デバイスに記憶されている前記ビデオの数を表すメッセージを前記ネットワークに送信するさらなる出力回路と、をさらに備える、請求項４９に記載の装置。
【請求項５３】
前記記憶デバイスに記憶されている前記ビデオのうち１つを廃棄するコマンドを受信する制御回路をさらに備え、
前記記憶デバイスは、前記制御回路に呼応して、前記ビデオのうち前記１つを廃棄し、
前記キュー回路はその後、前記記憶デバイスに記憶されている前記ビデオの現在の数を判断し、
前記さらなる出力回路はその後、前記記憶デバイスに記憶されている前記ビデオの前記現在の数を表すメッセージを前記ネットワークに送信する、請求項５２に記載の装置。
【請求項５４】
前記ネットワークはインターネットを含む、請求項４９に記載の装置。
【請求項５５】
前記暗号化およびエンコードされたビデオデータを表す前記信号を受信するさらなる入力回路と、
前記さらなる入力回路が前記暗号化およびエンコードされたビデオデータを表す前記信号を受信しているときに、前記暗号化およびエンコードされたビデオデータを、エンコードされたビデオデータに復号化する復号回路と、
前記復号回路が前記エンコードされたビデオデータを復号化しているときに、前記エンコードされたビデオデータをビデオデータにデコードするデコード回路と、
前記デコード回路が前記エンコードされたビデオデータをデコードしているときに、前記ビデオデータを表すマルチメディア信号を出力するさらなる出力回路と、をさらに備える、請求項５４に記載の装置。
【請求項５６】
前記装置は、前記ビデオデータまたは前記エンコードされたビデオデータの実体部分を記憶しない、請求項５５に記載の装置。
【請求項５７】
前記マルチメディア信号は高精細テレビ信号を含む、請求項５５に記載の装置。
【請求項５８】
前記暗号化およびエンコードされたビデオデータのパケットと、第１の他のデータとを前記ネットワークから受信して、第２の他のデータを前記ネットワークに送信する第１ネットワークポートと、
前記第１の他のデータをローカルネットワークに送信して、前記第２の他のデータを前記ローカルネットワークから受信する第２ネットワークポートと、
前記暗号化およびエンコードされたビデオデータのパケットを前記第１ネットワークポートから前記入力回路に渡し、前記第１の他のデータおよび前記第２の他のデータを前記第１ネットワークポートおよび前記第２ネットワークポートの間でやりとりさせるスイッチと、をさらに備える、請求項４９に記載の装置。
【請求項５９】
前記第１ネットワークポートは第１音声データを受信して、第２音声データを送信し、
前記装置は、
前記第１音声データを表す第１アナログ電話信号を送信し、前記第２音声データを表す第２アナログ電話信号を受信するアナログ電話インタフェースをさらに備え、
前記スイッチは、前記第１ネットワークポートおよび前記アナログ電話インタフェースの間で前記第１音声データおよび前記第２音声データをやりとりさせる、請求項５８に記載の装置。
【請求項６０】
前記暗号化およびエンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、請求項４９に記載の装置。
【請求項６１】
暗号化およびエンコードされたビデオデータのパケットをネットワークから受信する入力手段と、
前記暗号化およびエンコードされたビデオデータを記憶する記憶手段と、
前記記憶手段から前記暗号化およびエンコードされたビデオデータを取得する取得手段と、
前記取得手段が前記記憶手段から前記暗号化およびエンコードされたビデオデータを取得しているときに、前記暗号化およびエンコードされたビデオデータを表す信号を送信する出力手段と、を備える装置。
【請求項６２】
前記暗号化およびエンコードされたビデオデータのパケットは、前記暗号化およびエンコードされたビデオデータのインターネットプロトコルパケットを含む、請求項６１に記載の装置。
【請求項６３】
前記暗号化およびエンコードされたビデオデータのパケットは、前記暗号化およびエンコードされたビデオデータのイーサネットパケットを含む、請求項６１に記載の装置。
【請求項６４】
前記ビデオデータは１以上のビデオを表し、
前記装置は、
前記記憶手段に記憶されている前記ビデオの数を判断するキュー手段と、
前記記憶手段に記憶されている前記ビデオの数を表すメッセージを前記ネットワークに送信するさらなる出力手段と、をさらに備える、請求項６１に記載の装置。
【請求項６５】
前記記憶手段に記憶されている前記ビデオのうち１つを廃棄するコマンドを受信する制御手段をさらに備え、
前記記憶手段は、前記制御手段に呼応して、前記ビデオのうち前記１つを廃棄し、
前記キュー手段はその後、前記記憶手段に記憶されている前記ビデオの現在の数を判断し、
前記さらなる出力手段はその後、前記記憶手段に記憶されている前記ビデオの前記現在の数を表すメッセージを前記ネットワークに送信する、請求項６４に記載の装置。
【請求項６６】
前記ネットワークはインターネットを含む、請求項６１に記載の装置。
【請求項６７】
前記暗号化およびエンコードされたビデオデータを表す前記信号を受信するさらなる入力手段と、
前記さらなる入力手段が前記暗号化およびエンコードされたビデオデータを表す前記信号を受信しているときに、前記暗号化およびエンコードされたビデオデータを、エンコードされたビデオデータに復号化する復号手段と、
前記復号手段が前記エンコードされたビデオデータを復号化しているときに、前記エンコードされたビデオデータをビデオデータにデコードするデコード手段と、
前記デコード手段が前記エンコードされたビデオデータをデコードしているときに、前記ビデオデータを表すマルチメディア信号を出力するさらなる出力手段と、をさらに備える、請求項６６に記載の装置。
【請求項６８】
前記装置は、前記ビデオデータまたは前記エンコードされたビデオデータの実体部分を記憶しない、請求項６７に記載の装置。
【請求項６９】
前記マルチメディア信号は高精細テレビ信号を含む、請求項６７に記載の装置。
【請求項７０】
前記暗号化およびエンコードされたビデオデータのパケットと、第１の他のデータとを前記ネットワークから受信して、第２の他のデータを前記ネットワークに送信する第１ネットワークポート手段と、
前記第１の他のデータをローカルネットワークに送信して、前記第２の他のデータを前記ローカルネットワークから受信する第２ネットワークポート手段と、
前記暗号化およびエンコードされたビデオデータのパケットを前記第１ネットワークポート手段から前記入力手段に渡し、前記第１の他のデータおよび前記第２の他のデータを前記第１ネットワークポート手段および前記第２ネットワークポート手段の間でやりとりさせるスイッチ手段と、をさらに備える、請求項６１に記載の装置。
【請求項７１】
前記第１ネットワークポート手段は第１音声データを受信して、第２音声データを送信し、
前記装置は、
前記第１音声データを表す第１アナログ電話信号を送信し、前記第２音声データを表す第２アナログ電話信号を受信するアナログ電話インタフェース手段をさらに備え、
前記スイッチ手段は、前記第１ネットワークポート手段および前記アナログ電話インタフェース手段の間で前記第１音声データおよび前記第２音声データをやりとりさせる、請求項７０に記載の装置。
【請求項７２】
前記暗号化およびエンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、請求項６１に記載の装置。
【請求項７３】
暗号化およびエンコードされたビデオデータのパケットをネットワークから受信する段階と、
前記暗号化およびエンコードされたビデオデータを記憶デバイスに記憶する段階と、
前記記憶デバイスから前記暗号化およびエンコードされたビデオデータを取得する段階と、
前記記憶デバイスから前記暗号化およびエンコードされたビデオデータを取得しているときに、前記暗号化およびエンコードされたビデオデータを表す信号を送信する段階と、を備える方法。
【請求項７４】
前記暗号化およびエンコードされたビデオデータのパケットは、前記暗号化およびエンコードされたビデオデータのインターネットプロトコルパケットを含む、請求項７３に記載の方法。
【請求項７５】
前記暗号化およびエンコードされたビデオデータのパケットは、前記暗号化およびエンコードされたビデオデータのイーサネットパケットを含む、請求項７３に記載の方法。
【請求項７６】
前記ビデオデータは１以上のビデオを表し、
前記方法は、
前記記憶デバイスに記憶されている前記ビデオの数を判断する段階と、
前記記憶デバイスに記憶されている前記ビデオの数を表すメッセージを前記ネットワークに送信する段階と、をさらに備える、請求項７３に記載の方法。
【請求項７７】
前記記憶デバイスに記憶されている前記ビデオのうち１つを廃棄するコマンドを受信する段階と、
前記コマンドに呼応して、前記ビデオのうち前記１つを廃棄する段階と、
前記記憶デバイスに記憶されている前記ビデオの現在の数を判断する段階と、
前記記憶デバイスに記憶されている前記ビデオの前記現在の数を表すメッセージを前記ネットワークに送信する段階と、をさらに備える、請求項７３に記載の方法。
【請求項７８】
前記ネットワークはインターネットを含む、請求項７３に記載の方法。
【請求項７９】
前記暗号化およびエンコードされたビデオデータを表す前記信号を受信する段階と、
前記暗号化およびエンコードされたビデオデータを表す前記信号を受信しているときに、前記暗号化およびエンコードされたビデオデータを、エンコードされたビデオデータに復号化する段階と、
前記エンコードされたビデオデータを復号化しているときに、前記エンコードされたビデオデータをビデオデータにデコードする段階と、
前記エンコードされたビデオデータをデコードしているときに、前記ビデオデータを表すマルチメディア信号を出力する段階と、をさらに備える、請求項７８に記載の方法。
【請求項８０】
前記マルチメディア信号は高精細テレビ信号を含む、請求項７９に記載の方法。
【請求項８１】
前記暗号化およびエンコードされたビデオデータのパケットと、第１の他のデータとを前記ネットワークから受信する段階と、
第２の他のデータを前記ネットワークに送信する段階と、
前記第１の他のデータをローカルネットワークに送信する段階と、
前記第２の他のデータを前記ローカルネットワークから受信する段階と、
前記暗号化およびエンコードされたビデオデータのパケットを前記ネットワークから前記記憶デバイスに渡す段階と、
前記第１の他のデータおよび前記第２の他のデータを前記ネットワークおよび前記ローカルネットワークの間でやりとりさせる段階と、をさらに備える、請求項７３に記載の方法。
【請求項８２】
第１音声データを前記ネットワークから受信する段階と、
第２音声データを前記ネットワークへ送信する段階と、
前記第１音声データを表す第１アナログ電話信号を送信する段階と、
前記第２音声データを表す第２アナログ電話信号を受信する段階と、をさらに備える、請求項７３に記載の方法。
【請求項８３】
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、請求項７３に記載の方法。
【請求項８４】
プロセッサで実行可能なコンピュータプログラムであって、
ネットワークからパケットとして受信した暗号化およびエンコードされたビデオデータを記憶デバイスに記憶させる命令と、
前記記憶デバイスから前記暗号化およびエンコードされたビデオデータを取得させる命令と、を備え、
前記記憶デバイスから前記暗号化およびエンコードされたビデオデータを取得しているときに、前記暗号化およびエンコードされたビデオデータを表す信号が送信される、コンピュータプログラム。
【請求項８５】
前記暗号化およびエンコードされたビデオデータのパケットは、前記暗号化およびエンコードされたビデオデータのインターネットプロトコルパケットを含む、請求項８４に記載のコンピュータプログラム。
【請求項８６】
前記暗号化およびエンコードされたビデオデータのパケットは、前記暗号化およびエンコードされたビデオデータのイーサネットパケットを含む、請求項８４に記載のコンピュータプログラム。
【請求項８７】
前記ビデオデータは１以上のビデオを表し、
前記コンピュータプログラムは、
前記記憶デバイスに記憶されている前記ビデオの数を判断させる命令と、
前記記憶デバイスに記憶されている前記ビデオの数を表すメッセージを前記ネットワークに送信させる命令と、をさらに備える、請求項８４に記載のコンピュータプログラム。
【請求項８８】
受信されたコマンドに呼応して、前記記憶デバイスに記憶されている前記ビデオのうちの１つを廃棄させる命令と、
前記記憶デバイスに記憶されている前記ビデオの現在の数を判断させる命令と、
前記記憶デバイスに記憶されている前記ビデオの前記現在の数を表すメッセージを前記ネットワークに送信させる命令と、を備える、請求項８４に記載のコンピュータプログラム。
【請求項８９】
前記ネットワークはインターネットを含む、請求項８４に記載のコンピュータプログラム。
【請求項９０】
前記暗号化およびエンコードされたビデオデータを表す信号を受信しているときに、前記暗号化およびエンコードされたビデオデータを、エンコードされたビデオデータに復号化させる命令と、
前記エンコードされたビデオデータを復号化しているときに、前記エンコードされたビデオデータをビデオデータにデコードさせる命令と、をさらに備え、
前記エンコードされたビデオデータをデコードしているときに、前記ビデオデータを表すマルチメディア信号が出力される、請求項８９に記載のコンピュータプログラム。
【請求項９１】
前記マルチメディア信号は高精細テレビ信号を含む、請求項９０に記載のコンピュータプログラム。
【請求項９２】
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、請求項８４に記載のコンピュータプログラム。
【請求項９３】
暗号化およびエンコードされたビデオデータのパケットをネットワークから受信する入力回路と、
前記暗号化およびエンコードされたビデオデータを記憶する記憶デバイスと、
前記記憶デバイスから前記暗号化およびエンコードされたビデオデータを取得する取得回路と、
前記取得回路が前記記憶デバイスから前記暗号化およびエンコードされたビデオデータを取得しているときに、前記暗号化およびエンコードされたビデオデータを、エンコードされたビデオデータに復号化する復号回路と、
前記復号回路が前記暗号化およびエンコードされたビデオデータを復号化しているときに、前記エンコードされたビデオデータをビデオデータにデコードするデコード回路と、
前記デコード回路が前記エンコードされたビデオデータをデコードしているときに、前記ビデオデータを表すマルチメディア信号を出力する出力回路と、を備える装置。
【請求項９４】
前記暗号化およびエンコードされたビデオデータのパケットは、前記暗号化およびエンコードされたビデオデータのインターネットプロトコルパケットを含む、請求項９３に記載の装置。
【請求項９５】
前記暗号化およびエンコードされたビデオデータのパケットは、前記暗号化およびエンコードされたビデオデータのイーサネットパケットを含む、請求項９３に記載の装置。
【請求項９６】
前記記憶デバイスは、前記エンコードされたビデオデータまたは前記ビデオデータの実体部分を記憶しない、請求項９３に記載の装置。
【請求項９７】
前記ビデオデータは１以上のビデオを表し、
前記装置は、
前記記憶デバイスに記憶されている前記ビデオの数を判断するキュー回路と、
前記記憶デバイスに記憶されている前記ビデオの数を表すメッセージを前記ネットワークに送信するさらなる出力回路と、をさらに備える、請求項９３に記載の装置。
【請求項９８】
前記記憶デバイスに記憶されている前記ビデオのうち１つを廃棄するコマンドを受信する制御回路をさらに備え、
前記記憶デバイスは、前記制御回路に呼応して、前記ビデオのうち前記１つを廃棄し、
前記キュー回路はその後、前記記憶デバイスに記憶されている前記ビデオの現在の数を判断し、
前記さらなる出力回路はその後、前記記憶デバイスに記憶されている前記ビデオの前記現在の数を表すメッセージを前記ネットワークに送信する、請求項９７に記載の装置。
【請求項９９】
前記ネットワークはインターネットを含む、請求項９３に記載の装置。
【請求項１００】
前記マルチメディア信号は高精細テレビ信号を含む、請求項９３に記載の装置。
【請求項１０１】
前記暗号化およびエンコードされたビデオデータのパケットと、第１の他のデータとを前記ネットワークから受信して、第２の他のデータを前記ネットワークに送信する第１ネットワークポートと、
前記第１の他のデータをローカルネットワークに送信して、前記第２の他のデータを前記ローカルネットワークから受信する第２ネットワークポートと、
前記暗号化およびエンコードされたビデオデータのパケットを前記第１ネットワークポートから前記入力回路に渡し、前記第１の他のデータおよび前記第２の他のデータを前記第１ネットワークポートおよび前記第２ネットワークポートの間でやりとりさせるスイッチと、をさらに備える、請求項９３に記載の装置。
【請求項１０２】
前記第１ネットワークポートは第１音声データを受信して、第２音声データを送信し、
前記装置は、
前記第１音声データを表す第１アナログ電話信号を送信し、前記第２音声データを表す第２アナログ電話信号を受信するアナログ電話インタフェースをさらに備え、
前記スイッチは、前記第１ネットワークポートおよび前記アナログ電話インタフェースの間で前記第１音声データおよび前記第２音声データをやりとりさせる、請求項１０１に記載の装置。
【請求項１０３】
暗号化およびエンコードされたビデオデータのパケットをネットワークから受信する入力手段と、
前記暗号化およびエンコードされたビデオデータを記憶する記憶手段と、
前記記憶手段から前記暗号化およびエンコードされたビデオデータを取得する取得手段と、
前記取得手段が前記記憶手段から前記暗号化およびエンコードされたビデオデータを取得しているときに、前記暗号化およびエンコードされたビデオデータを、エンコードされたビデオデータに復号化する復号手段と、
前記復号手段が前記暗号化およびエンコードされたビデオデータを復号化しているときに、前記エンコードされたビデオデータをビデオデータにデコードするデコード手段と、
前記デコード手段が前記エンコードされたビデオデータをデコードしているときに、前記ビデオデータを表すマルチメディア信号を出力する出力手段と、を備える装置。
【請求項１０４】
前記暗号化およびエンコードされたビデオデータのパケットは、前記暗号化およびエンコードされたビデオデータのインターネットプロトコルパケットを含む、請求項１０３に記載の装置。
【請求項１０５】
前記暗号化およびエンコードされたビデオデータのパケットは、前記暗号化およびエンコードされたビデオデータのイーサネットパケットを含む、請求項１０３に記載の装置。
【請求項１０６】
前記記憶手段は、前記エンコードされたビデオデータまたは前記ビデオデータの実体部分を記憶しない、請求項１０３に記載の装置。
【請求項１０７】
前記ビデオデータは１以上のビデオを表し、
前記装置は、
前記記憶手段に記憶されている前記ビデオの数を判断するキュー手段と、
前記記憶手段に記憶されている前記ビデオの数を表すメッセージを前記ネットワークに送信するさらなる出力手段と、をさらに備える、請求項１０３に記載の装置。
【請求項１０８】
前記記憶手段に記憶されている前記ビデオのうち１つを廃棄するコマンドを受信する制御手段をさらに備え、
前記記憶手段は、前記制御手段に呼応して、前記ビデオのうち前記１つを廃棄し、
前記キュー手段はその後、前記記憶手段に記憶されている前記ビデオの現在の数を判断し、
前記さらなる出力手段はその後、前記記憶手段に記憶されている前記ビデオの前記現在の数を表すメッセージを前記ネットワークに送信する、請求項１０７に記載の装置。
【請求項１０９】
前記ネットワークはインターネットを含む、請求項１０３に記載の装置。
【請求項１１０】
前記マルチメディア信号は高精細テレビ信号を含む、請求項１０３に記載の装置。
【請求項１１１】
前記暗号化およびエンコードされたビデオデータのパケットと、第１の他のデータとを前記ネットワークから受信して、第２の他のデータを前記ネットワークに送信する第１ネットワークポート手段と、
前記第１の他のデータをローカルネットワークに送信して、前記第２の他のデータを前記ローカルネットワークから受信する第２ネットワークポート手段と、
前記暗号化およびエンコードされたビデオデータのパケットを前記第１ネットワークポート手段から前記入力手段に渡し、前記第１の他のデータおよび前記第２の他のデータを前記第１ネットワークポート手段および前記第２ネットワークポート手段の間でやりとりさせるスイッチ手段と、をさらに備える、請求項１０３に記載の装置。
【請求項１１２】
前記第１ネットワークポート手段は第１音声データを受信して、第２音声データを送信し、
前記装置は、
前記第１音声データを表す第１アナログ電話信号を送信し、前記第２音声データを表す第２アナログ電話信号を受信するアナログ電話インタフェース手段をさらに備え、
前記スイッチ手段は、前記第１ネットワークポート手段および前記アナログ電話インタフェース手段の間で前記第１音声データおよび前記第２音声データをやりとりさせる、請求項１１１に記載の装置。
【請求項１１３】
暗号化およびエンコードされたビデオデータのパケットをネットワークから受信する段階と、
前記暗号化およびエンコードされたビデオデータを記憶デバイスに記憶する段階と、
前記記憶デバイスから前記暗号化およびエンコードされたビデオデータを取得する段階と、
前記記憶デバイスから前記暗号化およびエンコードされたビデオデータを取得しているときに、前記暗号化およびエンコードされたビデオデータを、エンコードされたビデオデータに復号化する段階と、
前記暗号化およびエンコードされたビデオデータを復号化しているときに、前記暗号化およびエンコードされたビデオデータをビデオデータにデコードする段階と、
前記エンコードされたビデオデータをデコードしているときに、前記ビデオデータを表すマルチメディア信号を出力する段階と、を備える方法。
【請求項１１４】
前記暗号化およびエンコードされたビデオデータのパケットは、前記暗号化およびエンコードされたビデオデータのインターネットプロトコルパケットを含む、請求項１１３に記載の方法。
【請求項１１５】
前記暗号化およびエンコードされたビデオデータのパケットは、前記暗号化およびエンコードされたビデオデータのイーサネットパケットを含む、請求項１１３に記載の方法。
【請求項１１６】
前記記憶デバイスは、前記エンコードされたビデオデータまたは前記ビデオデータの実体部分を記憶しない、請求項１１３に記載の方法。
【請求項１１７】
前記ビデオデータは１以上のビデオを表し、
前記方法は、
前記記憶デバイスに記憶されている前記ビデオの数を判断する段階と、
前記記憶デバイスに記憶されている前記ビデオの数を表すメッセージを前記ネットワークに送信する段階と、をさらに備える、請求項１１３に記載の方法。
【請求項１１８】
前記記憶デバイスに記憶されている前記ビデオのうち１つを廃棄するコマンドを受信する段階と、
前記コマンドに呼応して、前記ビデオのうち前記１つを廃棄する段階と、
前記記憶デバイスに記憶されている前記ビデオの現在の数を判断する段階と、
前記記憶デバイスに記憶されている前記ビデオの前記現在の数を表すメッセージを前記ネットワークに送信する段階と、をさらに備える、請求項１１３に記載の方法。
【請求項１１９】
前記ネットワークはインターネットを含む、請求項１１３に記載の方法。
【請求項１２０】
前記マルチメディア信号は高精細テレビ信号を含む、請求項１１３に記載の方法。
【請求項１２１】
前記暗号化およびエンコードされたビデオデータのパケットと、第１の他のデータとを前記ネットワークから受信する段階と、
第２の他のデータを前記ネットワークに送信する段階と、
前記第１の他のデータをローカルネットワークに送信する段階と、
前記第２の他のデータを前記ローカルネットワークから受信する段階と、
前記暗号化およびエンコードされたビデオデータのパケットを前記ネットワークから前記記憶デバイスに渡す段階と、
前記第１の他のデータおよび前記第２の他のデータを前記ネットワークおよび前記ローカルネットワークの間でやりとりさせる段階と、をさらに備える、請求項１１３に記載の方法。
【請求項１２２】
前記ネットワークから第１音声データを受信する段階と、
第２音声データを前記ネットワークに送信する段階と、
前記第１音声データを表す第１アナログ電話信号を送信する段階と、
前記第２音声データを表す第２アナログ電話信号を受信する段階と、をさらに備える、請求項１１３に記載の方法。
【請求項１２３】
プロセッサで実行可能なコンピュータプログラムであって、
ネットワークからパケットとして受信した暗号化およびエンコードされたビデオデータを記憶デバイスに記憶させる命令と、
前記記憶デバイスから前記暗号化およびエンコードされたビデオデータを取得させる命令と、
前記記憶デバイスから前記暗号化およびエンコードされたビデオデータを取得しているときに、前記暗号化およびエンコードされたビデオデータを、エンコードされたビデオデータに復号化させる命令と、
前記暗号化およびエンコードされたビデオデータを復号化しているときに、前記エンコードされたビデオデータをビデオデータにデコードさせる命令と、
前記エンコードされたビデオデータをデコードしているときに、前記ビデオデータを表すマルチメディア信号が送信される、コンピュータプログラム。
【請求項１２４】
前記暗号化およびエンコードされたビデオデータのパケットは、前記暗号化およびエンコードされたビデオデータのインターネットプロトコルパケットを含む、請求項１２３に記載のコンピュータプログラム。
【請求項１２５】
前記暗号化およびエンコードされたビデオデータのパケットは、前記暗号化およびエンコードされたビデオデータのイーサネットパケットを含む、請求項１２３に記載のコンピュータプログラム。
【請求項１２６】
前記記憶デバイスは、前記エンコードされたビデオデータまたは前記ビデオデータの実体部分を記憶しない、請求項１２３に記載のコンピュータプログラム。
【請求項１２７】
前記ビデオデータは１以上のビデオを表し、
前記コンピュータプログラムは、
前記記憶デバイスに記憶されている前記ビデオの数を判断させる命令と、
前記記憶デバイスに記憶されている前記ビデオの数を表すメッセージを前記ネットワークに送信させる命令と、をさらに備える、請求項１２３に記載のコンピュータプログラム。
【請求項１２８】
受信されたコマンドに呼応して、前記記憶デバイスに記憶されている前記ビデオのうち１つを廃棄させる命令と、
前記記憶デバイスに記憶されている前記ビデオの現在の数を判断させる命令と、
前記記憶デバイスに記憶されている前記ビデオの前記現在の数を表すメッセージを前記ネットワークに送信させる命令と、をさらに備える、請求項１２３に記載のコンピュータプログラム。
【請求項１２９】
前記ネットワークはインターネットを含む、請求項１２３に記載のコンピュータプログラム。
【請求項１３０】
前記マルチメディア信号は高精細テレビ信号を含む、請求項１２３に記載のコンピュータプログラム。
【請求項１３１】
入手可能な暗号化ビデオのリストを提供する段階と、
カスタマから前記暗号化ビデオのうち１以上の選択を受信する段階と、
前記選択された暗号化ビデオの識別子を前記カスタマの待ち行列に追加する段階と、
前記カスタマに関連付けられた記憶デバイスに記憶されている前記暗号化ビデオの数の情報を受信する段階と、
前記記憶デバイスに記憶されている前記暗号化ビデオの数が所定の最大数を下回る場合、前記待ち行列内の前記識別子のうちいずれかを有する前記暗号化ビデオのうちの１つを前記記憶デバイスに電子送信する段階と、を備えるビジネスメソッド。
【請求項１３２】
前記カスタマに対して定期的間隔で課金する段階と、
前記カスタマに送信した前記暗号化ビデオの各々について前記カスタマに対して課金する段階と、のうち少なくともいずれかをさらに備える、請求項１３１に記載のビジネスメソッド。
【請求項１３３】
前記暗号化ビデオのうちの前記１つを前記記憶デバイスに送信した後で、前記待ち行列から前記暗号化ビデオのうちの前記１つの識別子を削除する段階をさらに備える、請求項１３１に記載のビジネスメソッド。
【請求項１３４】
プロセッサで実行可能なコンピュータプログラムであって、
入手可能な暗号化ビデオのリストを提供させる命令と、
カスタマから前記暗号化ビデオのうち１以上の選択を受信するのに呼応して、前記暗号化ビデオのうち１以上の識別子を前記カスタマの待ち行列に追加させる命令と、
記憶デバイスに記憶されている前記暗号化ビデオの数が所定の最大数を下回る場合、前記待ち行列内の前記識別子のうちいずれかを有する前記暗号化ビデオのうちの１つを前記記憶デバイスに電子送信させる命令と、を備えるコンピュータプログラム。
【請求項１３５】
前記カスタマに対して定期的間隔で課金させる命令と、
前記カスタマに送信した前記暗号化ビデオの各々について前記カスタマに対して課金させる命令と、のうち少なくともいずれかをさらに備える、請求項１３４に記載のコンピュータプログラム。
【請求項１３６】
前記暗号化ビデオのうちの前記１つを前記記憶デバイスに送信した後で、前記待ち行列から前記暗号化ビデオのうちの前記１つの識別子を削除させる命令をさらに備える、請求項１３４に記載のコンピュータプログラム。
【発明の詳細な説明】
【背景技術】
【０００１】
本発明は概してデータ通信に係る。より具体的には、本発明はセキュアなビデオ配信に係る。
【発明の概要】
【０００２】
概して本発明の一側面は、暗号化およびエンコードされたビデオデータのパケットをネットワークから受信する入力回路と、暗号化およびエンコードされたビデオデータを記憶する記憶デバイスと、記憶デバイスから暗号化およびエンコードされたビデオデータを取得する取得回路と、取得回路が記憶デバイスから暗号化およびエンコードされたビデオデータを取得しているときに、暗号化およびエンコードされたビデオデータを、エンコードされたビデオデータに復号化する復号回路と、復号回路が暗号化およびエンコードされたビデオデータを復号化しているときに、エンコードされたビデオデータを表す信号を送信する出力回路と、を備える装置を提供する。
【０００３】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネット（登録商標）パケットを含む。幾らかの実施形態においては、記憶デバイスは、エンコードされたビデオデータの実体部分は記憶しない。幾らかの実施形態においては、ビデオデータは１以上のビデオを表し、装置は、記憶デバイスに記憶されているビデオの数を判断するキュー回路と、記憶デバイスに記憶されているビデオの数を表すメッセージをネットワークに送信するさらなる出力回路と、をさらに備える。幾らかの実施形態は、記憶デバイスに記憶されているビデオのうち１つを廃棄するコマンドを受信する制御回路をさらに備え、記憶デバイスは、制御回路に呼応して、ビデオのうち１つを廃棄し、キュー回路はその後、記憶デバイスに記憶されているビデオの現在の数を判断し、さらなる出力回路はその後、記憶デバイスに記憶されているビデオの現在の数を表すメッセージをネットワークに送信する。幾らかの実施形態においては、ネットワークはインターネットを含む。幾らかの実施形態は、エンコードされたビデオデータを表す信号を受信するさらなる入力回路と、さらなる入力回路がエンコードされたビデオデータを表す信号を受信しているときに、エンコードされたビデオデータをビデオデータにデコードするデコード回路と、デコード回路がエンコードされたビデオデータをデコードしているときに、ビデオデータを表すマルチメディア信号を出力するさらなる出力回路と、をさらに備える。幾らかの実施形態においては、装置は、ビデオデータまたはエンコードされたビデオデータの実体部分を記憶しない。幾らかの実施形態においては、マルチメディア信号は高精細テレビ信号を含む。幾らかの実施形態は、暗号化およびエンコードされたビデオデータのパケットと、第１の他のデータとをネットワークから受信して、第２の他のデータをネットワークに送信する第１ネットワークポートと、第１の他のデータをローカルネットワークに送信して、第２の他のデータをローカルネットワークから受信する第２ネットワークポートと、暗号化およびエンコードされたビデオデータのパケットを第１ネットワークポートから入力回路に渡し、第１の他のデータおよび第２の他のデータを第１ネットワークポートおよび第２ネットワークポートの間でやりとりさせるスイッチと、をさらに備える。幾らかの実施形態においては、第１ネットワークポートは第１音声データを受信して、第２音声データを送信し、装置は、第１音声データを表す第１アナログ電話信号を送信し、第２音声データを表す第２アナログ電話信号を受信するアナログ電話インタフェースをさらに備え、スイッチは、第１ネットワークポートおよびアナログ電話インタフェースの間で第１音声データおよび第２音声データをやりとりさせる。幾らかの実施形態においては、エンコードされたビデオデータを表す信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である。
【０００４】
概して本発明の一側面は、暗号化およびエンコードされたビデオデータのパケットをネットワークから受信する入力手段と、暗号化およびエンコードされたビデオデータを記憶する記憶手段と、記憶手段から暗号化およびエンコードされたビデオデータを取得する取得手段と、取得手段が記憶手段から暗号化およびエンコードされたビデオデータを取得しているときに、暗号化およびエンコードされたビデオデータを、エンコードされたビデオデータに復号化する復号手段と、復号手段が暗号化およびエンコードされたビデオデータを復号化しているときに、エンコードされたビデオデータを表す信号を送信する出力手段と、を備える装置を提供する。
【０００５】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネットパケットを含む。幾らかの実施形態においては、記憶手段は、エンコードされたビデオデータの実体部分は記憶しない。幾らかの実施形態においては、ビデオデータは１以上のビデオを表し、装置は、記憶手段に記憶されているビデオの数を判断するキュー手段と、記憶手段に記憶されているビデオの数を表すメッセージをネットワークに送信するさらなる出力手段と、をさらに備える。幾らかの実施形態は、記憶手段に記憶されているビデオのうち１つを廃棄するコマンドを受信する制御手段をさらに備え、記憶手段は、制御手段に呼応して、ビデオのうち１つを廃棄し、キュー手段はその後、記憶手段に記憶されているビデオの現在の数を判断し、さらなる出力手段はその後、記憶手段に記憶されているビデオの現在の数を表すメッセージをネットワークに送信する。幾らかの実施形態においては、ネットワークはインターネットを含む。幾らかの実施形態においては、エンコードされたビデオデータを表す信号を受信するさらなる入力手段と、さらなる入力手段がエンコードされたビデオデータを表す信号を受信しているときに、エンコードされたビデオデータをビデオデータにデコードするデコード手段と、デコード手段がエンコードされたビデオデータをデコードしているときに、ビデオデータを表すマルチメディア信号を出力するさらなる出力手段と、をさらに備える。幾らかの実施形態においては、装置は、ビデオデータまたはエンコードされたビデオデータの実体部分を記憶しない。幾らかの実施形態においては、マルチメディア信号は高精細テレビ信号を含む。幾らかの実施形態は、暗号化およびエンコードされたビデオデータのパケットと、第１の他のデータとをネットワークから受信して、第２の他のデータをネットワークに送信する第１ネットワークポート手段と、第１の他のデータをローカルネットワークに送信して、第２の他のデータをローカルネットワークから受信する第２ネットワークポート手段と、暗号化およびエンコードされたビデオデータのパケットを第１ネットワークポート手段から入力手段に渡し、第１の他のデータおよび第２の他のデータを第１ネットワークポート手段および第２ネットワークポート手段の間でやりとりさせるスイッチ手段と、をさらに備える。幾らかの実施形態においては、第１ネットワークポート手段は第１音声データを受信して、第２音声データを送信し、装置は、第１音声データを表す第１アナログ電話信号を送信し、第２音声データを表す第２アナログ電話信号を受信するアナログ電話インタフェース手段をさらに備え、スイッチ手段は、第１ネットワークポート手段およびアナログ電話インタフェース手段の間で第１音声データおよび第２音声データをやりとりさせる。幾らかの実施形態においては、エンコードされたビデオデータを表す信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である。
【０００６】
概して本発明の一側面は、暗号化およびエンコードされたビデオデータのパケットをネットワークから受信する段階と、暗号化およびエンコードされたビデオデータを記憶デバイスに記憶する段階と、記憶デバイスから暗号化およびエンコードされたビデオデータを取得する段階と、記憶デバイスから暗号化およびエンコードされたビデオデータを取得しているときに、暗号化およびエンコードされたビデオデータを、エンコードされたビデオデータに復号化する段階と、暗号化およびエンコードされたビデオデータを復号化しているときに、エンコードされたビデオデータを表す信号を送信する段階と、を備える方法を提供する。
【０００７】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネットパケットを含む。幾らかの実施形態においては、記憶デバイスは、エンコードされたビデオデータの実体部分は記憶しない。幾らかの実施形態においては、ビデオデータは１以上のビデオを表し、方法は、記憶デバイスに記憶されているビデオの数を判断する段階と、記憶デバイスに記憶されているビデオの数を表すメッセージをネットワークに送信する段階と、をさらに備える。幾らかの実施形態は、記憶デバイスに記憶されているビデオのうち１つを廃棄するコマンドを受信する段階と、コマンドに呼応して、ビデオのうち１つを廃棄する段階と、記憶デバイスに記憶されているビデオの現在の数を判断する段階と、記憶デバイスに記憶されているビデオの現在の数を表すメッセージをネットワークに送信する段階と、をさらに備える。幾らかの実施形態においては、ネットワークはインターネットを含む。幾らかの実施形態は、エンコードされたビデオデータを表す信号を受信する段階と、エンコードされたビデオデータを表す信号を受信しているときに、エンコードされたビデオデータをビデオデータにデコードする段階と、エンコードされたビデオデータをデコードしているときに、ビデオデータを表すマルチメディア信号を出力する段階と、をさらに備える。幾らかの実施形態においては、マルチメディア信号は高精細テレビ信号を含む。幾らかの実施形態は、暗号化およびエンコードされたビデオデータのパケットと、第１の他のデータとをネットワークから受信する段階と、第２の他のデータをネットワークに送信する段階と、第１の他のデータをローカルネットワークに送信する段階と、第２の他のデータをローカルネットワークから受信する段階と、暗号化およびエンコードされたビデオデータのパケットを記憶デバイスに渡す段階と、第１の他のデータおよび第２の他のデータをネットワークおよびローカルネットワークの間でやりとりさせる段階と、をさらに備える。幾らかの実施形態は、ネットワークから第１音声データを受信する段階と、ネットワークへ第２音声データを送信する段階と、第１音声データを表す第１アナログ電話信号を送信する段階と、第２音声データを表す第２アナログ電話信号を受信する段階と、をさらに備える。幾らかの実施形態においては、エンコードされたビデオデータを表す信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である。
【０００８】
概して本発明の一側面は、プロセッサで実行可能なコンピュータプログラムであって、ネットワークからパケットとして受信した暗号化およびエンコードされたビデオデータを記憶デバイスに記憶させる命令と、記憶デバイスから暗号化およびエンコードされたビデオデータを取得させる命令と、記憶デバイスから暗号化およびエンコードされたビデオデータを取得しているときに、暗号化およびエンコードされたビデオデータを、エンコードされたビデオデータに復号化させる命令と、を備え、暗号化およびエンコードされたビデオデータを復号化しているときに、エンコードされたビデオデータを表す信号が送信される、コンピュータプログラムを提供する。
【０００９】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネットパケットを含む。幾らかの実施形態においては、記憶デバイスは、エンコードされたビデオデータの実体部分は記憶しない。幾らかの実施形態においては、ビデオデータは１以上のビデオを表し、コンピュータプログラムは、記憶デバイスに記憶されているビデオの数を判断させる命令と、記憶デバイスに記憶されているビデオの数を表すメッセージをネットワークに送信させる命令と、をさらに備える。幾らかの実施形態は、記憶デバイスに記憶されているビデオのうち１つを廃棄するコマンドの受信に呼応して、ビデオのうち１つを廃棄させる命令と、記憶デバイスに記憶されているビデオの現在の数を判断させる命令と、記憶デバイスに記憶されているビデオの現在の数を表すメッセージをネットワークに送信させる命令と、をさらに備える。幾らかの実施形態においては、ネットワークはインターネットを含む。幾らかの実施形態は、エンコードされたビデオデータを表す信号を受信しているときに、エンコードされたビデオデータをビデオデータにデコードさせる命令をさらに備え、エンコードされたビデオデータをデコードしているときに、ビデオデータを表すマルチメディア信号が出力される。幾らかの実施形態においては、マルチメディア信号は高精細テレビ信号を含む。幾らかの実施形態においては、エンコードされたビデオデータを表す信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している。
【００１０】
概して本発明の一側面は、暗号化およびエンコードされたビデオデータのパケットをネットワークから受信する入力回路と、暗号化およびエンコードされたビデオデータを記憶する記憶デバイスと、記憶デバイスから暗号化およびエンコードされたビデオデータを取得する取得回路と、取得回路が記憶デバイスから暗号化およびエンコードされたビデオデータを取得しているときに、暗号化およびエンコードされたビデオデータを表す信号を送信する出力回路と、を備える装置が提供される。
【００１１】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネットパケットを含む。幾らかの実施形態においては、ビデオデータは１以上のビデオを表し、装置は、記憶デバイスに記憶されているビデオの数を判断するキュー回路と、記憶デバイスに記憶されているビデオの数を表すメッセージをネットワークに送信するさらなる出力回路と、をさらに備える。幾らかの実施形態は、記憶デバイスに記憶されているビデオのうち１つを廃棄するコマンドを受信する制御回路をさらに備え、記憶デバイスは、制御回路に呼応して、ビデオのうち１つを廃棄し、キュー回路はその後、記憶デバイスに記憶されているビデオの現在の数を判断し、さらなる出力回路はその後、記憶デバイスに記憶されているビデオの現在の数を表すメッセージをネットワークに送信する。幾らかの実施形態においては、ネットワークはインターネットを含む。幾らかの実施形態は、暗号化およびエンコードされたビデオデータを表す信号を受信するさらなる入力回路と、さらなる入力回路が暗号化およびエンコードされたビデオデータを表す信号を受信しているときに、暗号化およびエンコードされたビデオデータを、エンコードされたビデオデータに復号化する復号回路と、復号回路がエンコードされたビデオデータを復号化しているときに、エンコードされたビデオデータをビデオデータにデコードするデコード回路と、デコード回路がエンコードされたビデオデータをデコードしているときに、ビデオデータを表すマルチメディア信号を出力するさらなる出力回路と、をさらに備える。幾らかの実施形態においては、装置は、ビデオデータまたはエンコードされたビデオデータの実体部分を記憶しない。幾らかの実施形態においては、マルチメディア信号は高精細テレビ信号を含む。幾らかの実施形態は、暗号化およびエンコードされたビデオデータのパケットと、第１の他のデータとをネットワークから受信して、第２の他のデータをネットワークに送信する第１ネットワークポートと、第１の他のデータをローカルネットワークに送信して、第２の他のデータをローカルネットワークから受信する第２ネットワークポートと、暗号化およびエンコードされたビデオデータのパケットを第１ネットワークポートから入力回路に渡し、第１の他のデータおよび第２の他のデータを第１ネットワークポートおよび第２ネットワークポートの間でやりとりさせるスイッチと、をさらに備える。幾らかの実施形態においては、第１ネットワークポートは第１音声データを受信して、第２音声データを送信し、装置は、第１音声データを表す第１アナログ電話信号を送信し、第２音声データを表す第２アナログ電話信号を受信するアナログ電話インタフェースをさらに備え、スイッチは、第１ネットワークポートおよびアナログ電話インタフェースの間で第１音声データおよび第２音声データをやりとりさせる。幾らかの実施形態においては、暗号化およびエンコードされたビデオデータを表す信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である。
【００１２】
概して本発明の一側面は、暗号化およびエンコードされたビデオデータのパケットをネットワークから受信する入力手段と、暗号化およびエンコードされたビデオデータを記憶する記憶手段と、記憶手段から暗号化およびエンコードされたビデオデータを取得する取得手段と、取得手段が記憶手段から暗号化およびエンコードされたビデオデータを取得しているときに、暗号化およびエンコードされたビデオデータを表す信号を送信する出力手段と、を備える装置を提供する。
【００１３】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネットパケットを含む。幾らかの実施形態においては、ビデオデータは１以上のビデオを表し、装置は、記憶手段に記憶されているビデオの数を判断するキュー手段と、記憶手段に記憶されているビデオの数を表すメッセージをネットワークに送信するさらなる出力手段と、をさらに備える。幾らかの実施形態は、記憶デバイスに記憶されているビデオのうち１つを廃棄するコマンドを受信する制御手段をさらに備え、記憶手段は、制御手段に呼応して、ビデオのうち１つを廃棄し、キュー手段はその後、記憶手段に記憶されているビデオの現在の数を判断し、さらなる出力手段はその後、記憶手段に記憶されているビデオの現在の数を表すメッセージをネットワークに送信する。幾らかの実施形態においては、ネットワークはインターネットを含む。幾らかの実施形態は、暗号化およびエンコードされたビデオデータを表す信号を受信するさらなる入力手段と、さらなる入力手段が暗号化およびエンコードされたビデオデータを表す信号を受信しているときに、暗号化およびエンコードされたビデオデータを、エンコードされたビデオデータに復号化する復号手段と、復号手段がエンコードされたビデオデータを復号化しているときに、エンコードされたビデオデータをビデオデータにデコードするデコード手段と、デコード手段がエンコードされたビデオデータをデコードしているときに、ビデオデータを表すマルチメディア信号を出力するさらなる出力手段と、をさらに備える。幾らかの実施形態においては、装置は、ビデオデータまたはエンコードされたビデオデータの実体部分を記憶しない。幾らかの実施形態においては、マルチメディア信号は高精細テレビ信号を含む。幾らかの実施形態は、暗号化およびエンコードされたビデオデータのパケットと、第１の他のデータとをネットワークから受信して、第２の他のデータをネットワークに送信する第１ネットワークポート手段と、第１の他のデータをローカルネットワークに送信して、第２の他のデータをローカルネットワークから受信する第２ネットワークポート手段と、暗号化およびエンコードされたビデオデータのパケットを第１ネットワークポート手段から入力手段に渡し、第１の他のデータおよび第２の他のデータを第１ネットワークポート手段および第２ネットワークポート手段の間でやりとりさせるスイッチ手段と、をさらに備える。幾らかの実施形態においては、第１ネットワークポート手段は第１音声データを受信して、第２音声データを送信し、装置は、第１音声データを表す第１アナログ電話信号を送信し、第２音声データを表す第２アナログ電話信号を受信するアナログ電話インタフェース手段をさらに備え、スイッチ手段は、第１ネットワークポート手段およびアナログ電話インタフェース手段の間で第１音声データおよび第２音声データをやりとりさせる。幾らかの実施形態においては、暗号化およびエンコードされたビデオデータを表す信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である。
【００１４】
概して本発明の一側面は、暗号化およびエンコードされたビデオデータのパケットをネットワークから受信する段階と、暗号化およびエンコードされたビデオデータを記憶デバイスに記憶する段階と、記憶デバイスから暗号化およびエンコードされたビデオデータを取得する段階と、記憶デバイスから暗号化およびエンコードされたビデオデータを取得しているときに、暗号化およびエンコードされたビデオデータを表す信号を送信する段階と、を備える方法を提供する。
【００１５】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネットパケットを含む。幾らかの実施形態においては、ビデオデータは１以上のビデオを表し、方法は、記憶デバイスに記憶されているビデオの数を判断する段階と、記憶デバイスに記憶されているビデオの数を表すメッセージをネットワークに送信する段階と、をさらに備える。幾らかの実施形態は、記憶デバイスに記憶されているビデオのうち１つを廃棄するコマンドを受信する段階と、コマンドに呼応して、ビデオのうち１つを廃棄する段階と、記憶デバイスに記憶されているビデオの現在の数を判断する段階と、記憶デバイスに記憶されているビデオの現在の数を表すメッセージをネットワークに送信する段階と、をさらに備える。幾らかの実施形態においては、ネットワークはインターネットを含む。幾らかの実施形態は、暗号化およびエンコードされたビデオデータを表す信号を受信する段階と、暗号化およびエンコードされたビデオデータを表す信号を受信しているときに、暗号化およびエンコードされたビデオデータを、エンコードされたビデオデータに復号化する段階と、エンコードされたビデオデータを復号化しているときに、エンコードされたビデオデータをビデオデータにデコードする段階と、エンコードされたビデオデータをデコードしているときに、ビデオデータを表すマルチメディア信号を出力する段階と、をさらに備える。幾らかの実施形態においては、マルチメディア信号は高精細テレビ信号を含む。幾らかの実施形態は、暗号化およびエンコードされたビデオデータのパケットと、第１の他のデータとをネットワークから受信する段階と、第２の他のデータをネットワークに送信する段階と、第１の他のデータをローカルネットワークに送信する段階と、第２の他のデータをローカルネットワークから受信する段階と、暗号化およびエンコードされたビデオデータのパケットをネットワークから記憶デバイスに渡す段階と、第１の他のデータおよび第２の他のデータをネットワークおよびローカルネットワークの間でやりとりさせる段階と、をさらに備える。幾らかの実施形態は、第１音声データをネットワークから受信する段階と、第２音声データをネットワークへ送信する段階と、第１音声データを表す第１アナログ電話信号を送信する段階と、第２音声データを表す第２アナログ電話信号を受信する段階と、をさらに備える。幾らかの実施形態においては、エンコードされたビデオデータを表す信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である。
【００１６】
概して本発明の一側面は、プロセッサで実行可能なコンピュータプログラムであって、ネットワークからパケットとして受信した暗号化およびエンコードされたビデオデータを記憶デバイスに記憶させる命令と、記憶デバイスから暗号化およびエンコードされたビデオデータを取得させる命令と、を備え、記憶デバイスから暗号化およびエンコードされたビデオデータを取得しているときに、暗号化およびエンコードされたビデオデータを表す信号が送信される、コンピュータプログラムを提供する。
【００１７】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネットパケットを含む。幾らかの実施形態においては、ビデオデータは１以上のビデオを表し、コンピュータプログラムは、記憶デバイスに記憶されているビデオの数を判断させる命令と、記憶デバイスに記憶されているビデオの数を表すメッセージをネットワークに送信させる命令と、をさらに備える。幾らかの実施形態は、受信されたコマンドに呼応して、記憶デバイスに記憶されているビデオのうちの１つを廃棄させる命令と、記憶デバイスに記憶されているビデオの現在の数を判断させる命令と、記憶デバイスに記憶されているビデオの現在の数を表すメッセージをネットワークに送信させる命令と、を備える。幾らかの実施形態においては、ネットワークはインターネットを含む。幾らかの実施形態は、暗号化およびエンコードされたビデオデータを表す信号を受信しているときに、暗号化およびエンコードされたビデオデータを、エンコードされたビデオデータに復号化させる命令と、エンコードされたビデオデータを復号化しているときに、エンコードされたビデオデータをビデオデータにデコードさせる命令と、をさらに備え、エンコードされたビデオデータをデコードしているときに、ビデオデータを表すマルチメディア信号が出力される。幾らかの実施形態においては、マルチメディア信号は高精細テレビ信号を含む。幾らかの実施形態においては、エンコードされたビデオデータを表す信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である。
【００１８】
概して本発明の一側面は、暗号化およびエンコードされたビデオデータのパケットをネットワークから受信する入力回路と、暗号化およびエンコードされたビデオデータを記憶する記憶デバイスと、記憶デバイスから暗号化およびエンコードされたビデオデータを取得する取得回路と、取得回路が記憶デバイスから暗号化およびエンコードされたビデオデータを取得しているときに、暗号化およびエンコードされたビデオデータを、エンコードされたビデオデータに復号化する復号回路と、復号回路が暗号化およびエンコードされたビデオデータを復号化しているときに、エンコードされたビデオデータをビデオデータにデコードするデコード回路と、デコード回路がエンコードされたビデオデータをデコードしているときに、ビデオデータを表すマルチメディア信号を出力する出力回路と、を備える装置を提供する。
【００１９】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネットパケットを含む。幾らかの実施形態においては、記憶デバイスは、エンコードされたビデオデータまたはビデオデータの実体部分は記憶しない。幾らかの実施形態においては、ビデオデータは１以上のビデオを表し、装置は、記憶デバイスに記憶されているビデオの数を判断するキュー回路と、記憶デバイスに記憶されているビデオの数を表すメッセージをネットワークに送信するさらなる出力回路と、をさらに備える。幾らかの実施形態は、記憶デバイスに記憶されているビデオのうち１つを廃棄するコマンドを受信する制御回路をさらに備え、記憶デバイスは、制御回路に呼応して、ビデオのうち１つを廃棄し、キュー回路はその後、記憶デバイスに記憶されているビデオの現在の数を判断し、さらなる出力回路はその後、記憶デバイスに記憶されているビデオの現在の数を表すメッセージをネットワークに送信する。幾らかの実施形態においては、ネットワークはインターネットを含む。幾らかの実施形態においては、マルチメディア信号は高精細テレビ信号を含む。幾らかの実施形態は、暗号化およびエンコードされたビデオデータのパケットと、第１の他のデータとをネットワークから受信して、第２の他のデータをネットワークに送信する第１ネットワークポートと、第１の他のデータをローカルネットワークに送信して、第２の他のデータをローカルネットワークから受信する第２ネットワークポートと、暗号化およびエンコードされたビデオデータのパケットを第１ネットワークポートから入力回路に渡し、第１の他のデータおよび第２の他のデータを第１ネットワークポートおよび第２ネットワークポートの間でやりとりさせるスイッチと、をさらに備える。幾らかの実施形態においては、第１ネットワークポートは第１音声データを受信して、第２音声データを送信し、装置は、第１音声データを表す第１アナログ電話信号を送信し、第２音声データを表す第２アナログ電話信号を受信するアナログ電話インタフェースをさらに備え、スイッチは、第１ネットワークポートおよびアナログ電話インタフェースの間で第１音声データおよび第２音声データをやりとりさせる。
【００２０】
概して本発明の一側面は、暗号化およびエンコードされたビデオデータのパケットをネットワークから受信する入力手段と、暗号化およびエンコードされたビデオデータを記憶する記憶手段と、記憶手段から暗号化およびエンコードされたビデオデータを取得する取得手段と、取得手段が記憶手段から暗号化およびエンコードされたビデオデータを取得しているときに、暗号化およびエンコードされたビデオデータを、エンコードされたビデオデータに復号化する復号手段と、復号手段が暗号化およびエンコードされたビデオデータを復号化しているときに、エンコードされたビデオデータをビデオデータにデコードするデコード手段と、デコード手段がエンコードされたビデオデータをデコードしているときに、ビデオデータを表すマルチメディア信号を出力する出力手段と、を備える装置を提供する。
【００２１】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネットパケットを含む。幾らかの実施形態においては、記憶手段は、エンコードされたビデオデータまたはビデオデータの実体部分は記憶しない。幾らかの実施形態においては、ビデオデータは１以上のビデオを表し、装置は、記憶手段に記憶されているビデオの数を判断するキュー手段と、記憶手段に記憶されているビデオの数を表すメッセージをネットワークに送信するさらなる出力手段と、をさらに備える。幾らかの実施形態は、記憶手段に記憶されているビデオのうち１つを廃棄するコマンドを受信する制御手段をさらに備え、記憶手段は、制御手段に呼応して、ビデオのうち１つを廃棄し、キュー手段はその後、記憶手段に記憶されているビデオの現在の数を判断し、さらなる出力手段はその後、記憶手段に記憶されているビデオの現在の数を表すメッセージをネットワークに送信する。幾らかの実施形態においては、ネットワークはインターネットを含む。幾らかの実施形態においては、マルチメディア信号は高精細テレビ信号を含む。幾らかの実施形態は、暗号化およびエンコードされたビデオデータのパケットと、第１の他のデータとをネットワークから受信して、第２の他のデータをネットワークに送信する第１ネットワークポート手段と、第１の他のデータをローカルネットワークに送信して、第２の他のデータをローカルネットワークから受信する第２ネットワークポート手段と、暗号化およびエンコードされたビデオデータのパケットを第１ネットワークポート手段から入力手段に渡し、第１の他のデータおよび第２の他のデータを第１ネットワークポート手段および第２ネットワークポート手段の間でやりとりさせるスイッチ手段と、をさらに備える。幾らかの実施形態においては、第１ネットワークポート手段は第１音声データを受信して、第２音声データを送信し、装置は、第１音声データを表す第１アナログ電話信号を送信し、第２音声データを表す第２アナログ電話信号を受信するアナログ電話インタフェース手段をさらに備え、スイッチ手段は、第１ネットワークポート手段およびアナログ電話インタフェース手段の間で第１音声データおよび第２音声データをやりとりさせる。
【００２２】
概して本発明の一側面は、暗号化およびエンコードされたビデオデータのパケットをネットワークから受信する段階と、暗号化およびエンコードされたビデオデータを記憶デバイスに記憶する段階と、記憶デバイスから暗号化およびエンコードされたビデオデータを取得する段階と、記憶デバイスから暗号化およびエンコードされたビデオデータを取得しているときに、暗号化およびエンコードされたビデオデータを、エンコードされたビデオデータに復号化する段階と、暗号化およびエンコードされたビデオデータを復号化しているときに、暗号化およびエンコードされたビデオデータをビデオデータにデコードする段階と、エンコードされたビデオデータをデコードしているときに、ビデオデータを表すマルチメディア信号を出力する段階と、を備える方法を提供する。
【００２３】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネットパケットを含む。幾らかの実施形態においては、記憶デバイスは、エンコードされたビデオデータまたはビデオデータの実体部分は記憶しない。幾らかの実施形態においては、ビデオデータは１以上のビデオを表し、方法は、記憶デバイスに記憶されているビデオの数を判断する段階と、記憶デバイスに記憶されているビデオの数を表すメッセージをネットワークに送信する段階と、をさらに備える。幾らかの実施形態は、記憶デバイスに記憶されているビデオのうち１つを廃棄するコマンドを受信する段階と、コマンドに呼応して、ビデオのうち１つを廃棄する段階と、記憶デバイスに記憶されているビデオの現在の数を判断する段階と、記憶デバイスに記憶されているビデオの現在の数を表すメッセージをネットワークに送信する段階と、をさらに備える。幾らかの実施形態においては、ネットワークはインターネットを含む。幾らかの実施形態においては、マルチメディア信号は高精細テレビ信号を含む。幾らかの実施形態は、暗号化およびエンコードされたビデオデータのパケットと、第１の他のデータとをネットワークから受信する段階と、第２の他のデータをネットワークに送信する段階と、第１の他のデータをローカルネットワークに送信する段階と、第２の他のデータをローカルネットワークから受信する段階と、暗号化およびエンコードされたビデオデータのパケットをネットワークから記憶デバイスに渡す段階と、第１の他のデータおよび第２の他のデータをネットワークおよびローカルネットワークの間でやりとりさせる段階と、をさらに備える。幾らかの実施形態は、ネットワークから第１音声データを受信する段階と、第２音声データをネットワークに送信する段階と、第１音声データを表す第１アナログ電話信号を送信する段階と、第２音声データを表す第２アナログ電話信号を受信する段階と、をさらに備える。
【００２４】
概して本発明の一側面は、プロセッサで実行可能なコンピュータプログラムであって、ネットワークからパケットとして受信した暗号化およびエンコードされたビデオデータを記憶デバイスに記憶させる命令と、記憶デバイスから暗号化およびエンコードされたビデオデータを取得させる命令と、記憶デバイスから暗号化およびエンコードされたビデオデータを取得しているときに、暗号化およびエンコードされたビデオデータを、エンコードされたビデオデータに復号化させる命令と、暗号化およびエンコードされたビデオデータを復号化しているときに、エンコードされたビデオデータをビデオデータにデコードさせる命令と、エンコードされたビデオデータをデコードしているときに、ビデオデータを表すマルチメディア信号が送信される、コンピュータプログラムを提供する。
【００２５】
幾らかの実施形態においては、暗号化およびエンコードされたビデオデータのパケットは、暗号化およびエンコードされたビデオデータのインターネットプロトコルパケットを含む。幾らかの実施形態においては、暗号化およびエンコードされたビデオデータのパケットは、暗号化およびエンコードされたビデオデータのイーサネットパケットを含む。幾らかの実施形態においては、記憶デバイスは、エンコードされたビデオデータまたはビデオデータの実体部分は記憶しない。幾らかの実施形態においては、ビデオデータは１以上のビデオを表し、コンピュータプログラムは、記憶デバイスに記憶されているビデオの数を判断させる命令と、記憶デバイスに記憶されているビデオの数を表すメッセージをネットワークに送信させる命令と、をさらに備える。幾らかの実施形態は、受信されたコマンドに呼応して、記憶デバイスに記憶されているビデオのうち１つを廃棄させる命令と、記憶デバイスに記憶されているビデオの現在の数を判断させる命令と、記憶デバイスに記憶されているビデオの現在の数を表すメッセージをネットワークに送信させる命令と、をさらに備える。幾らかの実施形態においては、ネットワークはインターネットを含む。幾らかの実施形態においては、マルチメディア信号は高精細テレビ信号を含む。
【００２６】
概して本発明の一側面は、入手可能な暗号化ビデオのリストを提供する段階と、カスタマから暗号化ビデオのうち１以上の選択を受信する段階と、選択された暗号化ビデオの識別子をカスタマの待ち行列に追加する段階と、カスタマに関連付けられた記憶デバイスに記憶されている暗号化ビデオの数の情報を受信する段階と、記憶デバイスに記憶されている暗号化ビデオの数が所定の最大数を下回る場合、待ち行列内の識別子のうちいずれかを有する暗号化ビデオのうちの１つを記憶デバイスに電子送信する段階と、を備えるビジネスメソッドを提供する。
【００２７】
幾らかの実施形態は、カスタマに対して定期的間隔で課金する段階と、カスタマに送信した暗号化ビデオの各々についてカスタマに対して課金する段階と、のうち少なくともいずれかをさらに備える。幾らかの実施形態は、暗号化ビデオのうちの１つを記憶デバイスに送信した後で、待ち行列から暗号化ビデオのうちの１つの識別子を削除する段階をさらに備える。
【００２８】
概して本発明の一側面は、プロセッサで実行可能なコンピュータプログラムであって、入手可能な暗号化ビデオのリストを提供させる命令と、カスタマから暗号化ビデオのうち１以上の選択を受信するのに呼応して、１以上の暗号化ビデオの識別子をカスタマの待ち行列に追加させる命令と、記憶デバイスに記憶されている暗号化ビデオの数が所定の最大数を下回る場合、待ち行列内の識別子のうちいずれかを有する暗号化ビデオのうちの１つを記憶デバイスに電子送信させる命令と、を備えるコンピュータプログラムを提供する。
【００２９】
幾らかの実施形態は、カスタマに対して定期的間隔で課金させる命令と、カスタマに送信した暗号化ビデオの各々についてカスタマに対して課金させる命令と、のうち少なくともいずれかをさらに備える。幾らかの実施形態は、暗号化ビデオのうちの１つを記憶デバイスに送信した後で、待ち行列から暗号化ビデオのうちの１つの識別子を削除させる命令をさらに備える。
【００３０】
以下に、１以上の実装例の詳細を添付図面との参照で示す。他の特徴も記載および図面および請求項から明らかになろう。
【図面の簡単な説明】
【００３１】
【図１】本発明の好適な実施形態による、エンコードされたビデオデータを別個のセットトップ部に転送する記憶部を有するセキュアなビデオ配信システムを示す。
【００３２】
【図２】本発明の好適な実施形態による、図１のセキュアなビデオ配信システムのビデオプロバイダ用の、および、ここで開示される他のセキュアなビデオ配信システムのビデオプロバイダ用のビジネスメソッドを示す。
【００３３】
【図３】本発明の好適な実施形態による、図１のセキュアなビデオ配信システムの記憶部およびセットトップ部の処理を示す。
【００３４】
【図４】本発明の好適な実施形態による、暗号化およびエンコードされたビデオデータを別個のセットトップ部に転送する記憶部を有するセキュアなビデオ配信システムを示す。
【００３５】
【図５】本発明の好適な実施形態による、図４のセキュアなビデオ配信システムの記憶部およびセットトップ部の処理を示す。
【００３６】
【図６】本発明の好適な実施形態による、記憶部およびセットトップ部が１つの部に組み合わせられたセキュアなビデオ配信システムを示す。
【００３７】
【図７】本発明の好適な実施形態による、図６のセキュアなビデオ配信システムのカスタマ部の処理を示す。
【００３８】
【図８Ａ】本発明の例示的実装例を示す。
【図８Ｂ】本発明の例示的実装例を示す。
【図８Ｃ】本発明の例示的実装例を示す。
【図８Ｄ】本発明の例示的実装例を示す。
【図８Ｅ】本発明の例示的実装例を示す。
【図８Ｆ】本発明の例示的実装例を示す。
【００３９】
本明細書に利用される各参照番号の先頭桁は、最初に参照番号が現れる図番を表している。
【発明を実施するための最良の形態】
【００４０】
本発明の実施形態は、高精細ビデオを含む映画などのビデオ用のセキュアなビデオ配信を提供する。ビデオは好適にはビデオデータとしてエンコードされ、好適には配信前に暗号化されている。幾らかの実施形態においては、暗号化およびエンコードされたビデオデータのパケットがカスタマサイトの記憶部で受信され、ここで、暗号化およびエンコードされたビデオデータは、ハードディスクドライブなどの記憶デバイスに記憶される。カスタマが記憶デバイス上に記憶されているビデオの再生を開始すると、暗号化およびエンコードされたビデオデータが取得され、復号化され、好適には無線リンクにより１以上のセットトップ部へと送信され、セットトップ部は、エンコードされたビデオデータをデコードして、マルチメディア信号をテレビ、プロジェクタ、スピーカシステム等である表示デバイスに対して出力する。幾らかの実施形態においては、復号化は、記憶部ではなくてセットトップ部により行われる。また別の実施形態においては、記憶部およびセットトップ部が１つのカスタマ部として組み合わされている。好適には、部材のいずれもが、エンコードされたビデオデータまたはビデオデータの実体部分を記憶しておらず、単に暗号化およびエンコードされたビデオデータのみを記憶していることで該ビデオデータの不正複製および配信を防ぐ。
【００４１】
本発明の実施形態は、セキュアなビデオ配信のビジネスメソッドを提供する。本方法によると、ビデオプロバイダは、入手可能な暗号化ビデオのリストを提供し、カスタマから暗号化ビデオの選択を受信し、カスタマが選択した各ビデオの識別子を当該カスタマ用の待ち行列に追加する。各カスタマは、カスタマサイトの記憶デバイス上に所定の最大数の暗号化ビデオを記憶することが許可されている。ビデオプロバイダは、各記憶デバイスに記憶されている暗号化ビデオの数の情報を受信する。例えばカスタマがビデオのうち１つを破棄した等の理由から、カスタマの記憶デバイスに記憶されている暗号化ビデオの数が該カスタマについての所定の最大数を下回る場合、ビデオプロバイダは、暗号化ビデオのうち、カスタマの待ち行列に識別子が存在するものを、カスタマの記憶デバイスへ電子送信する。
【００４２】
図１は、本発明の好適な実施形態による、エンコードされたビデオデータを別個のセットトップ部１０８に転送する記憶部１０４を有するセキュアなビデオ配信システム１００を示す。セキュアなビデオ配信システム１００は、インターネットを一例とするネットワーク１０６を介してカスタマサイトの記憶部１０４と通信するビデオプロバイダ１０２を有する。本発明の幾らかの実施形態は、クライアント‐サーバ配信モデルに従って記載されるが、他の実施形態では、十分なカスタマベースがある場合、ピア‐ツー‐ピア配信技術を利用することができる。
【００４３】
記憶部１０４は、無線であることが好ましいリンク１１０を介してセットトップ部１０８と通信する。リンク１１０は好ましくは、ＩＥＥＥ規格８０２．１１、８０２．１１ａ、８０２．１１ｂ、８０２．１１ｇ、８０２．１１ｎ、８０２．１６、および８０２．２０に準拠している。好適な実施形態においては、リンク１１０はＩＥＥＥ規格８０２．１１ｎに準拠したＭＩＭＯリンクである。セットトップ部１０８は、テレビセット１１４または、プロジェクタ、スピーカシステム等の１以上の他の表示デバイスに対してマルチメディア信号１１２を提供する。マルチメディア信号１１２は好適には、ＨＤＭＩ（高精細マルチメディアインタフェース）信号等の高精細テレビ信号であるが、表示デバイスに対して音声ビデオ情報を搬送する任意の種類の信号であってよい。
【００４４】
記憶部１０４は、ビデオプロバイダ１０２から受信した暗号化およびエンコードされたビデオデータを記憶する記憶デバイス１１６、記憶デバイス１１６から暗号化およびエンコードされたビデオデータのパケットを取得する取得回路１１８、および暗号化およびエンコードされたビデオデータを復号化する復号回路１２０を含む。記憶部１０４はさらに、ビデオプロバイダ１０２から暗号化およびエンコードされたビデオデータを受信する入力回路１２４と、メッセージをビデオプロバイダ１０２に送信する出力回路１２６とを含むワイドエリアネットワーク（ＷＡＮ）ポート１２２を含む。記憶部１０４はさらに、エンコードされたビデオデータを表す信号をリンク１１０を介して送信する出力回路１２８を含んでもよい。記憶部１０４はさらに、遠隔制御（不図示）からテレビセット１１４により受信され、セットトップ部１０８によりリレーされるコマンド等のコマンドを受信する入力回路１３０を含んでもよい。記憶部１０４はさらに、記憶デバイス１１６に記憶されているビデオの数を判断するキュー回路１３２、および入力回路１３０が受信したコマンド等のコマンドを受信および／または実行する制御回路１３４を含んでもよい。ビデオの数は、記憶デバイス１１６に記憶されているビデオの総数を表してもよく、または、記憶デバイス１１６に追加された、またはそこから削除されたビデオの数、等を示してもよい。出力回路１２６からビデオプロバイダ１０２に送信されたメッセージは、ビデオ数を示すメッセージを含んでもよい。
【００４５】
セットトップ部１０８は、エンコードされたビデオデータを表す信号をリンク１１０を介して受信する入力回路１３６、入力回路１３６が、エンコードされたビデオデータを表す信号を受信しているときに、エンコードされたビデオデータをデコードするデコード回路１３８、およびデコード回路１３８が、エンコードされたビデオデータをデコードしているときに、ビデオデータを表すマルチメディア信号１１２を出力する出力回路１４０を含む。好適には、記憶部１０４およびセットトップ部１０８いずれもが、エンコードされたビデオデータまたはビデオデータの実体部分を記憶しておらず、単に暗号化およびエンコードされたビデオデータのみを記憶していることで該ビデオデータの不正複製および配信を防ぐ。
【００４６】
幾らかの実施形態においては、記憶部１０４は、ローカルエリアネットワーク（ＬＡＮ）１４６およびネットワーク１０６間で通信を行わせ、異なるデータの流れの間でサービス品質を安定させる、ＬＡＮポート１４２とスイッチ１４４とを含む。これら実施形態においては、ＷＡＮポート１２２は、ネットワーク１０６から暗号化およびエンコードされたビデオデータのパケットを受信し、他のデータをネットワーク１０６との間で交換する。ＬＡＮポート１４２はＬＡＮ１４６との間でデータ交換を行う。スイッチ１４４は、暗号化およびエンコードされたビデオデータをＷＡＮポート１２２から記憶デバイス１１６へ渡し、ＷＡＮポート１２２およびＬＡＮポート１４２の間でデータをやりとりさせる。
【００４７】
幾らかの実施形態においては、記憶部１０４は、ＶＯＩＰ（voice-over-Internet-Protocol）サービスを提供し、異なるデータの流れの間でサービス品質を安定させる、アナログ電話インタフェース（ＡＴＩ）１４８とスイッチ１４４とを含む。これら実施形態においては、ＷＡＮポート１２２は音声データを送受信する。アナログ電話インタフェース１４８は、音声データを表すアナログ電話信号を送受信する。スイッチ１４４は、ＷＡＮポート１２２およびアナログ電話インタフェース１４８の間で音声データをやりとりさせる。
【００４８】
好適には、記憶デバイス１１６は従来の技術により記憶部１０４に登録され、記憶デバイス１１６を記憶部１０４に設置された場合にのみ動作させることで、ビデオデータの不正複製および配信を防ぐ。例えば、記憶デバイス１１６および記憶部１０４各々は、制御回路１３４が比較するコードを含む読み取り専用メモリを含みうる。もちろん、他の技術を利用して登録を実行することもできる。
【００４９】
図２は、本発明の好適な実施形態による、セキュアなビデオ配信システム１００のビデオプロバイダ１０２用の、および、ここで開示される他のセキュアなビデオ配信システムのビデオプロバイダ用のビジネスメソッド２００を示す。ビデオプロバイダ１０２は、入手可能な暗号化ビデオのリストを提供する（ステップ２０２）。カスタマはリストを見て、入手可能な暗号化ビデオのうち１以上を、例えばテレビセット１１４およびセットトップ部１０８を利用して、選択する。ビデオプロバイダ１０２はその選択を受信する（ステップ２０４）。
【００５０】
ビデオプロバイダ１０２は、各カスタマについて、選択されたビデオの待ち行列を保持する。各カスタマは待ち行列を、例えばビデオ選択、ビデオ削除、または待ち行列のビデオ順序変更などにより、修正することができる。カスタマのビデオ選択を受信すると、ビデオプロバイダ１０２は選択された暗号化ビデオの識別子をカスタマの待ち行列に追加する（ステップ２０６）。
【００５１】
好適には、各カスタマに一度に許可されるビデオ数の最大値は予め定められている。ビデオプロバイダ１０２は、カスタマの記憶デバイス１１６に記憶されている暗号化ビデオの数の情報を受信する（ステップ２０８）。暗号化ビデオの数が所定の最大数を下回る場合（ステップ２１０）、ビデオプロバイダ１０２は、暗号化ビデオのうち、カスタマの待ち行列に識別子が存在するものを選択して、暗号化ビデオをカスタマの記憶デバイス１１６へ電子送信する（ステップ２１２）。ビデオプロバイダ１０２は、暗号化ビデオを送信した後で、カスタマの待ち行列から該暗号化ビデオの識別子を削除する（ステップ２１４）。ビデオプロバイダ１０２は、カスタマに送信した各暗号化ビデオについて該カスタマに課金する（ステップ２１６）。または、ビデオプロバイダ１０２はカスタマに対して定期的間隔で課金する。
【００５２】
図３は、本発明の好適な実施形態による、図１のセキュアなビデオ配信システム１００の記憶部１０４およびセットトップ部１０８の処理３００を示す。図３のステップは順を追って示されているが、これらステップは好適には実質的に時を同じくして行われる。記憶部１０４のＷＡＮポート１２２の入力回路１２４は、暗号化およびエンコードされたビデオデータのパケットをネットワーク１０６から受信する（ステップ３０２）。様々な実施形態においては、ビデオデータはビデオプロバイダ１０２が提供した１以上のビデオを表す。暗号化およびエンコードされたビデオデータのパケットは、暗号化およびエンコードされたビデオデータのインターネットプロトコルパケット、暗号化およびエンコードされたビデオデータのイーサネットパケット、等を含みうる。
【００５３】
記憶部１０４の記憶デバイス１１６は、暗号化およびエンコードされたビデオデータを記憶する（ステップ３０４）。記憶部１０４の取得回路１１８は、記憶デバイス１１６から暗号化およびエンコードされたビデオデータを、例えばユーザのビデオ再生コマンドに呼応して、取得する（ステップ３０６）。記憶部１０４の復号回路１２０は、取得回路１１８が暗号化およびエンコードされたビデオデータを記憶デバイス１１６から取得しているときに、暗号化およびエンコードされたビデオデータを復号化する（ステップ３０８）。記憶部１０４の出力回路１２８は、復号回路１２０がエンコードされたビデオデータを復号化しているときに、エンコードされたビデオデータを表す信号を、リンク１１０を介して送信する（ステップ３１０）。好適には、信号はＩＥＥＥ規格８０２．１１ｎに準拠したＭＩＭＯ信号であるが、もちろん他の種類の有線、光学、または無線信号を利用することもできる。好適には記憶部１０４は、エンコードされたビデオデータの実体部分を記憶しないことで、該ビデオデータの不正複製および配信を防ぐ。幾らかの実施形態においては、エンコードは固有のものにして、リンク１１０による送信をセキュアにしている。
【００５４】
セットトップ部１０８の入力回路１３６は、エンコードされたビデオデータを表す信号を受信する（ステップ３１２）。セットトップ部１０８のデコード回路１３８は、入力回路１３６がエンコードされたビデオデータを表す信号を受信しているときに、エンコードされたビデオデータをデコードする（ステップ３１４）。セットトップ部１０８の出力回路１４０は、デコード回路１３８がエンコードされたビデオデータをデコードしているときに、ビデオデータを表すマルチメディア信号１１２を出力する（ステップ３１６）。マルチメディア信号１１２は好適にはＨＤＭＩ信号であるが、表示デバイスに対して音声ビデオ情報を搬送する任意の種類の信号であってよい。好適にはセットトップ部１０８は、ビデオデータまたはエンコードされたビデオデータの実体部分を記憶しないことで、該ビデオデータの不正複製および配信を防ぐ。
【００５５】
図４は、本発明の好適な実施形態による、暗号化およびエンコードされたビデオデータを別個のセットトップ部４０８に転送する記憶部４０４を有するセキュアなビデオ配信システム４００を示す。セキュアなビデオ配信システム４００は、復号回路１２０が記憶部４０４内ではなくてセットトップ部４０８内に配置されていることを除いて、図１のセキュアなビデオ配信システム１００に類似している。
【００５６】
図５は、本発明の好適な実施形態による、図４のセキュアなビデオ配信システム４００の記憶部４０４およびセットトップ部４０８の処理５００を示す。図５のステップは順を追って示されているが、これらステップは好適には実質的に時を同じくして行われる。記憶部４０４のＷＡＮポート１２２の入力回路１２４は、暗号化およびエンコードされたビデオデータをネットワーク１０６から受信する（ステップ５０２）。様々な実施形態においては、ビデオデータはビデオプロバイダ１０２が提供した１以上のビデオを表す。暗号化およびエンコードされたビデオデータのパケットは、暗号化およびエンコードされたビデオデータのインターネットプロトコルパケット、暗号化およびエンコードされたビデオデータのイーサネットパケット、等を含みうる。
【００５７】
記憶部４０４の記憶デバイス１１６は、暗号化およびエンコードされたビデオデータを記憶する（ステップ５０４）。記憶部４０４の取得回路１１８は、記憶デバイス１１６から暗号化およびエンコードされたビデオデータを、例えばユーザのビデオ再生コマンドに呼応して、取得する（ステップ５０６）。記憶部４０４の出力回路１２８は、取得回路１１８が暗号化およびエンコードされたビデオデータを記憶デバイス１１６から取得しているときに、暗号化およびエンコードされたビデオデータを表す信号を、リンク１１０を介して送信する（ステップ５０８）。好適には、信号はＩＥＥＥ規格８０２．１１ｎに準拠したＭＩＭＯ信号であるが、もちろん他の種類の有線、光学、または無線信号を利用することもできる。
【００５８】
セットトップ部４０８の入力回路１３６は、エンコードされたビデオデータを表す信号を受信する（ステップ５１０）。セットトップ部４０８の復号回路１２０は、入力回路１３６が暗号化およびエンコードされたビデオデータを表す信号を受信しているときに、暗号化およびエンコードされたビデオデータを復号化する（ステップ５１２）。セットトップ部４０８のデコード回路１３８は、復号回路１２０がエンコードされたビデオデータを復号化しているときに、エンコードされたビデオデータをデコードする（ステップ５１４）。セットトップ部４０８の出力回路１４０は、デコード回路１３８がエンコードされたビデオデータをデコードしているときに、ビデオデータを表すマルチメディア信号１１２を出力する。マルチメディア信号１１２は好適にはＨＤＭＩ信号であるが、表示デバイスに対して音声ビデオ情報を搬送する任意の種類の信号であってよい。好適にはセットトップ部４０８は、ビデオデータまたはエンコードされたビデオデータの実体部分を記憶しないことで、該ビデオデータの不正複製および配信を防ぐ。
【００５９】
図６は、本発明の好適な実施形態による、記憶部およびセットトップ部が１つのカスタマ部６０４に組み合わせられたセキュアなビデオ配信システム６００を示す。セキュアなビデオ配信システム６００は、リンク１１０、出力回路１２８、および入力回路１３６がないことを除いて、図１のセキュアなビデオ配信システム１００に類似している。
【００６０】
図７は、本発明の好適な実施形態による、図６のセキュアなビデオ配信システム６００のカスタマ部６０４の処理７００を示す。図７のステップは順を追って示されているが、これらステップは好適には実質的に時を同じくして行われる。カスタマ部６０４のＷＡＮポート１２２の入力回路１２４は、暗号化およびエンコードされたビデオデータをネットワーク１０６から受信する（ステップ７０２）。幾らかの実施形態においては、ビデオデータはビデオプロバイダ１０２が提供した１以上のビデオを表す。暗号化およびエンコードされたビデオデータのパケットは、暗号化およびエンコードされたビデオデータのインターネットプロトコルパケット、暗号化およびエンコードされたビデオデータのイーサネットパケット、等を含みうる。
【００６１】
カスタマ部６０４の記憶デバイス１１６は、暗号化およびエンコードされたビデオデータを記憶する（ステップ７０４）。カスタマ部６０４の取得回路１１８は、記憶デバイス１１６から暗号化およびエンコードされたビデオデータを、例えばユーザのビデオ再生コマンドに呼応して、取得する（ステップ７０６）。カスタマ部６０４の復号回路１２０は、取得回路１１８が暗号化およびエンコードされたビデオデータを記憶デバイス１１６から取得しているときに、暗号化およびエンコードされたビデオデータを復号化する（ステップ７０８）。カスタマ部６０４のデコード回路１３８は、復号回路１２０がエンコードされたビデオデータを復号化しているときに、エンコードされたビデオデータをデコードする（ステップ７１０）。カスタマ部６０４の出力回路１４０は、デコード回路１３８がエンコードされたビデオデータをデコードしているときに、ビデオデータを表すマルチメディア信号１１２を出力する。マルチメディア信号１１２は好適にはＨＤＭＩ信号であるが、表示デバイスに対して音声ビデオ情報を搬送する任意の種類の信号であってよい。好適にはカスタマ部６０４は、ビデオデータまたはエンコードされたビデオデータの実体部分を記憶しないことで、該ビデオデータの不正複製および配信を防ぐ。
【００６２】
図８Ａ‐８Ｆは、本発明の様々な例示的実装例を示す。図８Ａを参照すると、本発明はハードディスクドライブ（ＨＤＤ）８０１に実装することができる。本発明は、一般的に図８Ａでは８０２として示される信号処理および／または制御回路のいずれかまたは両方を実装してよい。幾らかの実装例においては、信号処理および／または制御回路８０２および／またはＨＤＤ８０１の他の回路（不図示）は、データ処理、符号化および／または暗号化、計算、および／または、磁気記憶媒体８０３へ出力および／または磁気記憶媒体８０３から受信するデータのフォーマッティングを行ってよい。
【００６３】
ＨＤＤ８０１は、コンピュータ、情報携帯端末、セルラー式電話機、媒体、またはＭＰ３プレーヤ等の携帯コンピュータデバイス、および／または他のデバイスなどのホストデバイス（不図示）と、１以上の有線または無線通信リンク８０４を介して通信しうる。ＨＤＤ８０１は、ランダムアクセスメモリ（ＲＡＭ）、フラッシュメモリ等の低レイテンシー不揮発性メモリ、読み取り専用メモリ（ＲＯＭ）、および／または他の適切な電子データ記憶装置などのメモリ８０５に接続されてよい。
【００６４】
図８Ｂを参照すると、本発明はデジタルバーサタイルディスク（ＤＶＤ）ドライブ８０６に実装することができる。本発明は、一般的に図８Ｂでは８０７として示される信号処理および／または制御回路のいずれかまたは両方、および／またはＤＶＤドライブ８０６の大容量データ記憶装置を実装してよい。信号処理および／または制御回路８０７および／またはＤＶＤドライブ８０６の他の回路（不図示）は、データ処理、符号化、および／または暗号化、計算、および／または、光学記憶媒体８０８から読み出す、および／または光学記憶媒体８０８へ書き込むデータのフォーマッティングを行ってよい。幾らかの実装例においては、信号処理および／または制御回路８０７および／またはＤＶＤドライブ８０６の他の回路（不図示）は、さらに、エンコードおよび／またはデコード、および／またはＤＶＤドライブに関する任意の他の信号処理機能を行うこともできる。
【００６５】
ＤＶＤドライブ８０６は、コンピュータ、テレビ、または他のデバイス等の出力デバイス（不図示）と、１以上の有線または無線の通信リンク８０９を介して通信してよい。ＤＶＤドライブ８０６は、不揮発にデータを記憶する大容量データ記憶装置８１０と通信してよい。大容量データ記憶装置８１０は、ハードディスクドライブ（ＨＤＤ）を含みうる。ＨＤＤは図８Ａに示すような構成を有しうる。ＨＤＤは、直径が約１．８"より小さい１以上のプラッタを含むミニＨＤＤであってもよい。ＤＶＤドライブ８０６は、ＲＡＭ、ＲＯＭ、フラッシュメモリなどの低レイテンシー不揮発性メモリ、および／または他の適切な電子データ記憶装置などのメモリ８１１に接続されてもよい。
【００６６】
図８Ｃを参照すると、本発明は高精細テレビ（ＨＤＴＶ）８１２に実装することができる。本発明は、一般的に図８Ｃでは８１３で示される信号処理および／または制御回路のいずれかまたは両方、ＷＬＡＮインタフェース、および／またはＨＤＴＶ８１２の大容量データ記憶装置を実装してよい。ＨＤＴＶ８１２は、有線または無線形式でＨＤＴＶ入力信号を受信して、ＨＤＴＶ出力信号をディスプレイ８１４用に生成する。幾らかの実装例においては、信号処理回路および／または制御回路８１３および／またはＨＤＴＶ８１２の他の回路（不図示）は、データ処理、符号化、および／または暗号化、計算、データフォーマッティング、および／または、必要でありうる任意の他の種類のＨＤＴＶ処理を行ってよい。
【００６７】
ＨＤＴＶ８１２は、光学および／または磁気記憶デバイスなどの、不揮発式にデータを記憶する大容量データ記憶装置８１５と通信してよい。少なくとも１つのＨＤＤが図８Ａに示す構成を有してよく、および／または、少なくとも１つのＤＶＤドライブが図８Ｂに示す構成を有してよい。ＨＤＤは、直径が約１．８"より小さい１以上のプラッタを含むミニＨＤＤであってもよい。ＨＤＴＶ８１２は、ＲＡＭ、ＲＯＭ、フラッシュメモリなどの低レイテンシー不揮発性メモリ、および／または他の適切な電子データ記憶装置などのメモリ８１６に接続されてもよい。ＨＤＴＶ８１２はさらに、ＷＬＡＮネットワークインタフェース８１７を介してＷＬＡＮとの接続をサポートしてよい。
【００６８】
図８Ｄを参照すると、本発明は、アンテナ８２９を含みうるセルラー式電話機８２８に実装することができる。本発明は、一般的に図８Ｄでは８３０で示される信号処理および／または制御回路のいずれかまたは両方、ＷＬＡＮインタフェース、および／またはセルラー式電話機８２８の大容量データ記憶装置を実装してよい。幾らかの実装例においては、セルラー式電話機８２８は、マイクロフォン８３１、スピーカおよび／または音声出力ジャックなどの音声出力８３２、ディスプレイ８３３および／またはキーパッド、ポインティングデバイス、音声駆動および／または他の入力デバイスなどの入力デバイス８３４を含む。信号処理および／または制御回路８３０および／またはセルラー式電話機８２８の他の回路（不図示）は、データ処理、符号化、および／または暗号化、計算、データフォーマッティング、および／または他のセルラー式電話機能を行ってよい。
【００６９】
セルラー式電話機８２８は、例えばＨＤＤおよび／またはＤＶＤドライブなどの光学および／または磁気記憶デバイスなどの、データを不揮発式に記憶する大容量データ記憶装置８３５と通信してよい。少なくとも１つのＨＤＤが図８Ａに示すような構成を持ってよく、および／または少なくとも１つのＤＶＤドライブが図８Ｂに示す構成をもってよい。ＨＤＤは、直径が約１．８"より小さい１以上のプラッタを含むミニＨＤＤであってもよい。セルラー式電話機８２８は、ＲＡＭ、ＲＯＭ、フラッシュメモリなどの低レイテンシー不揮発性メモリ、および／または他の適切な電子データ記憶装置などのメモリ８３６に接続されてもよい。セルラー式電話機８２８はさらに、ＷＬＡＮとの接続を、ＷＬＡＮネットワークインタフェース８３７を介してサポートしてもよい。
【００７０】
図８Ｅを参照すると、本発明は、セットトップボックス８３８に実装することができる。本発明は、一般的に図８Ｅでは８３９で示される信号処理および／または制御回路のいずれかまたは両方、ＷＬＡＮインタフェース、および／またはセットトップボックス８３８の大容量データ記憶装置を実装してよい。セットトップボックス８３８は、ブロードバンドソースなどのソースから信号を受信し、テレビ、モニタおよび／または他のビデオおよび／または音声出力デバイスなどのディスプレイ８４０に適した標準および／または高精細音声／ビデオ信号を出力する。信号処理回路および／または制御回路８３９および／またはセットトップボックス８３８の他の回路（不図示）は、データ処理、符号化および／または暗号化、計算、データフォーマッティング、および／または任意の他のセットトップボックス機能を行ってよい。
【００７１】
セットトップボックス８３８は、データを不揮発式に記憶する大容量データ記憶装置８４１と通信してよい。大容量データ記憶装置８４１は例えばＨＤＤおよび／またはＤＶＤドライブである、光学および／または磁気記憶デバイスを含んでよい。少なくとも１つのＨＤＤが図８Ａに示すような構成を持ってよく、および／または少なくとも１つのＤＶＤドライブが図８Ｂに示す構成をもってよい。ＨＤＤは、直径が約１．８"より小さい１以上のプラッタを含むミニＨＤＤであってもよい。セットトップボックス８３８は、ＲＡＭ、ＲＯＭ、フラッシュメモリなどの低レイテンシー不揮発性メモリ、および／または他の適切な電子データ記憶装置などのメモリ８４２に接続されてもよい。セットトップボックス８３８はさらに、ＷＬＡＮとの接続を、ＷＬＡＮネットワークインタフェース８４３を介して支援してもよい。
【００７２】
図８Ｆを参照すると、本発明は、メディアプレーヤ８４４に実装することができる。本発明は、一般的に図８Ｆでは８４５として示される信号処理および／または制御回路のいずれかまたは両方、ＷＬＡＮインタフェース、およびメディアプレーヤ８４４の大容量データ記憶デバイス実装しうる。幾らかの実装例においては、メディアプレーヤ８４４は、ディスプレイ８４６および／またはキーパッド、タッチパッド等のユーザ入力８４７を含む。幾らかの実装例においては、メディアプレーヤ８４４は、通常、メニュー、ドロップダウンメニュー、アイコン、および／またはポイントアンドクリックインタフェースを、ディスプレイ８４６および／またはユーザ入力８４７を介して利用するグラフィカルユーザインタフェース（ＧＵＩ）を利用してよい。メディアプレーヤ８４４は、さらに、スピーカおよび／または音声出力ジャックなどの音声出力８４８を含む。信号処理および／または制御回路８４５および／またはメディアプレーヤ８４４の他の回路（不図示）は、データ処理、符号化、および／または暗号化、計算、データフォーマッティング、および／または任意の他のメディアプレーヤ機能を行ってよい。
【００７３】
メディアプレーヤ８４４は、圧縮音声および／またはビデオコンテンツなどのデータを不揮発式に記憶する大量データ記憶装置８４９と通信してよい。幾らかの実施例においては、圧縮音声ファイルは、ＭＰ３形式あるいは他の適切な圧縮音声および／またはビデオ形式に準拠するファイルを含む。大容量データ記憶装置８４９は、例えばＨＤＤおよび／またはＤＶＤドライブなどの、光学および／または磁気記憶デバイスを含んでよい。少なくとも１つのＨＤＤが図８Ａに示すような構成を持ってよく、および／または少なくとも１つのＤＶＤドライブが図８Ｂに示す構成をもってよい。ＨＤＤは、直径が約１．８"より小さい１以上のプラッタを含むミニＨＤＤであってもよい。メディアプレーヤ８４４はＲＡＭ、ＲＯＭ、フラッシュメモリなどの低レイテンシー不揮発性メモリ、および／または他の適切な電子データ記憶装置などのメモリ８５０に接続されてもよい。メディアプレーヤ８４４はさらに、ＷＬＡＮとの接続を、ＷＬＡＮネットワークインタフェース８５１を介して支援してもよい。さらに他の実施例が、上述されたものに加えて考えられる。
【００７４】
本発明の実施形態は、デジタル電子回路に、または、コンピュータハードウェア、ファームウェア、ソフトウェアに、または、これらの組み合わせに実装されうる。本発明の装置は、プログラム可能なプロセッサによる実行用に機械読み取り可能な記憶デバイスに具現化されるコンピュータプログラムプロダクトに実装でき、本発明の方法ステップは、命令プログラムを実行することで入力データ上で動作して出力を生成する本発明の機能を達成するプログラム可能なプロセッサにより行われうる。本発明は、データ記憶システム、少なくとも１つの入力デバイス、および少なくとも１つの出力デバイスに対してデータおよび命令を送受信するよう連結された少なくとも１つのプログラム可能なプロセッサを含むプログラム可能なシステム上で実行可能な１以上のコンピュータプログラムに実装されて利点を生じうる。各コンピュータプログラムは、ハイレベル手順またはオブジェクト指向プログラム言語で実装されてよく、または所望の場合にはアセンブリまたは機械言語での実装も可能であるが、いずれの場合にも言語はコンパイルできる、または、解釈された言語であってよい。例としては適切なプロセッサは、汎用および専用マイクロプロセッサを含む。概して、プロセッサは読み取り専用メモリおよび／またはランダムアクセスメモリから命令およびデータを受信する。概して、コンピュータは、データファイルを記憶する１以上の大容量記憶デバイスを含み、該大容量記憶デバイスは、内部ハードディスクおよび取り外し可能なディスクのような磁気ディスク、磁気光学ディスク、および光学ディスクを含む。コンピュータプログラム命令およびデータを具現化するのに適したデバイスは、例えばＥＰＲＯＭ、ＥＥＰＲＯＭ（登録商標）、およびフラッシュメモリデバイスのような半導体メモリデバイスを含む全ての形式の不揮発性メモリ、内部ハードディスクおよび取り外し可能なディスクのような磁気ディスク、磁気光学ディスク、およびＣＤ‐ＲＯＭディスクを含む。前述のうち任意のものが、ＡＳＩＣ（特定用途向けＩＣ）により補足を受けても、そこに組み込まれても良い。
【００７５】
本発明の幾らかの実装例を記載してきた。しかし、本発明の精神および範囲を逸脱しない範囲で様々な変形例が可能であることを理解されたい。以下の請求項の範囲には他の実装例が含まれる。
【図１】
2010507986.tif 000003
【図２】
2010507986.tif 000004
【図３】
2010507986.tif 000005
【図４】
2010507986.tif 000006
【図５】
2010507986.tif 000007
【図６】
2010507986.tif 000008
【図７】
2010507986.tif 000009
【図８Ａ】
2010507986.tif 000010
【図８Ｂ】
2010507986.tif 000011
【図８Ｃ】
2010507986.tif 000012
【図８Ｄ】
2010507986.tif 000013
【図８Ｅ】
2010507986.tif 000014
【図８Ｆ】
2010507986.tif 000015
【手続補正書】
【提出日】平成21年7月22日(2009.7.22)
【手続補正１】
【補正対象書類名】明細書
【補正対象項目名】００７５
【補正方法】変更
【補正の内容】
【００７５】
本発明の幾らかの実装例を記載してきた。しかし、本発明の精神および範囲を逸脱しない範囲で様々な変形例が可能であることを理解されたい。以下の請求項の範囲には他の実装例が含まれる。
（項目１）
暗号化およびエンコードされたビデオデータのパケットをネットワークから受信する入力回路と、
前記暗号化およびエンコードされたビデオデータを記憶する記憶デバイスと、
前記記憶デバイスから前記暗号化およびエンコードされたビデオデータを取得する取得回路と、
前記取得回路が前記記憶デバイスから前記暗号化およびエンコードされたビデオデータを取得しているときに、前記暗号化およびエンコードされたビデオデータを、エンコードされたビデオデータに復号化する復号回路と、
前記復号回路が前記暗号化およびエンコードされたビデオデータを復号化しているときに、前記エンコードされたビデオデータを表す信号を送信する出力回路と、を備える装置。
（項目２）
前記暗号化およびエンコードされたビデオデータのパケットは、前記暗号化およびエンコードされたビデオデータのインターネットプロトコルパケットを含む、項目１に記載の装置。
（項目３）
前記暗号化およびエンコードされたビデオデータのパケットは、前記暗号化およびエンコードされたビデオデータのイーサネットパケットを含む、項目１に記載の装置。
（項目４）
前記記憶デバイスは、前記エンコードされたビデオデータの実体部分は記憶しない、項目１に記載の装置。
（項目５）
前記ビデオデータは１以上のビデオを表し、
前記装置は、
前記記憶デバイスに記憶されている前記ビデオの数を判断するキュー回路と、
前記記憶デバイスに記憶されている前記ビデオの数を表すメッセージを前記ネットワークに送信するさらなる出力回路と、をさらに備える、項目１に記載の装置。
（項目６）
前記記憶デバイスに記憶されている前記ビデオのうち１つを廃棄するコマンドを受信する制御回路をさらに備え、
前記記憶デバイスは、前記制御回路に呼応して、前記ビデオのうち前記１つを廃棄し、
前記キュー回路はその後、前記記憶デバイスに記憶されている前記ビデオの現在の数を判断し、
前記さらなる出力回路はその後、前記記憶デバイスに記憶されている前記ビデオの前記現在の数を表すメッセージを前記ネットワークに送信する、項目５に記載の装置。
（項目７）
前記ネットワークはインターネットを含む、項目１に記載の装置。
（項目８）
前記エンコードされたビデオデータを表す前記信号を受信するさらなる入力回路と、
前記さらなる入力回路が前記エンコードされたビデオデータを表す前記信号を受信しているときに、前記エンコードされたビデオデータをビデオデータにデコードするデコード回路と、
前記デコード回路が前記エンコードされたビデオデータをデコードしているときに、前記ビデオデータを表すマルチメディア信号を出力するさらなる出力回路と、をさらに備える、項目１に記載の装置。
（項目９）
前記装置は、前記ビデオデータまたは前記エンコードされたビデオデータの実体部分を記憶しない、項目８に記載の装置。
（項目１０）
前記マルチメディア信号は高精細テレビ信号を含む、項目８に記載の装置。
（項目１１）
前記暗号化およびエンコードされたビデオデータのパケットと、第１の他のデータとを前記ネットワークから受信して、第２の他のデータを前記ネットワークに送信する第１ネットワークポートと、
前記第１の他のデータをローカルネットワークに送信して、前記第２の他のデータを前記ローカルネットワークから受信する第２ネットワークポートと、
前記暗号化およびエンコードされたビデオデータのパケットを前記第１ネットワークポートから前記入力回路に渡し、前記第１の他のデータおよび前記第２の他のデータを前記第１ネットワークポートおよび前記第２ネットワークポートの間でやりとりさせるスイッチと、をさらに備える、項目１に記載の装置。
（項目１２）
前記第１ネットワークポートは第１音声データを受信して、第２音声データを送信し、
前記装置は、
前記第１音声データを表す第１アナログ電話信号を送信し、前記第２音声データを表す第２アナログ電話信号を受信するアナログ電話インタフェースをさらに備え、
前記スイッチは、前記第１ネットワークポートおよび前記アナログ電話インタフェースの間で前記第１音声データおよび前記第２音声データをやりとりさせる、項目１１に記載の装置。
（項目１３）
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、項目１に記載の装置。
（項目１４）
暗号化およびエンコードされたビデオデータのパケットをネットワークから受信する入力手段と、
前記暗号化およびエンコードされたビデオデータを記憶する記憶手段と、
前記記憶手段から前記暗号化およびエンコードされたビデオデータを取得する取得手段と、
前記取得手段が前記記憶手段から前記暗号化およびエンコードされたビデオデータを取得しているときに、前記暗号化およびエンコードされたビデオデータを、エンコードされたビデオデータに復号化する復号手段と、
前記復号手段が前記暗号化およびエンコードされたビデオデータを復号化しているときに、前記エンコードされたビデオデータを表す信号を送信する出力手段と、を備える装置。
（項目１５）
前記暗号化およびエンコードされたビデオデータのパケットは、前記暗号化およびエンコードされたビデオデータのインターネットプロトコルパケットを含む、項目１４に記載の装置。
（項目１６）
前記暗号化およびエンコードされたビデオデータのパケットは、前記暗号化およびエンコードされたビデオデータのイーサネットパケットを含む、項目１４に記載の装置。
（項目１７）
前記記憶手段は、前記エンコードされたビデオデータの実体部分を記憶しない、項目１４に記載の装置。
（項目１８）
前記ビデオデータは１以上のビデオを表し、
前記装置は、
前記記憶手段に記憶されている前記ビデオの数を判断するキュー手段と、
前記記憶手段に記憶されている前記ビデオの数を表すメッセージを前記ネットワークに送信するさらなる出力手段と、をさらに備える、項目１４に記載の装置。
（項目１９）
前記記憶手段に記憶されている前記ビデオのうち１つを廃棄するコマンドを受信する制御手段をさらに備え、
前記記憶手段は、前記制御手段に呼応して、前記ビデオのうち前記１つを廃棄し、
前記キュー手段はその後、前記記憶手段に記憶されている前記ビデオの現在の数を判断し、
前記さらなる出力手段はその後、前記記憶手段に記憶されている前記ビデオの前記現在の数を表すメッセージを前記ネットワークに送信する、項目１８に記載の装置。
（項目２０）
前記ネットワークはインターネットを含む、項目１４に記載の装置。
（項目２１）
前記エンコードされたビデオデータを表す前記信号を受信するさらなる入力手段と、
前記さらなる入力手段が前記エンコードされたビデオデータを表す前記信号を受信しているときに、前記エンコードされたビデオデータをビデオデータにデコードするデコード手段と、
前記デコード手段が前記エンコードされたビデオデータをデコードしているときに、前記ビデオデータを表すマルチメディア信号を出力するさらなる出力手段と、をさらに備える、項目１４に記載の装置。
（項目２２）
前記装置は、前記ビデオデータまたは前記エンコードされたビデオデータの実体部分を記憶しない、項目２１に記載の装置。
（項目２３）
前記マルチメディア信号は高精細テレビ信号を含む、項目２１に記載の装置。
（項目２４）
前記暗号化およびエンコードされたビデオデータのパケットと、第１の他のデータとを前記ネットワークから受信して、第２の他のデータを前記ネットワークに送信する第１ネットワークポート手段と、
前記第１の他のデータをローカルネットワークに送信して、前記第２の他のデータを前記ローカルネットワークから受信する第２ネットワークポート手段と、
前記暗号化およびエンコードされたビデオデータのパケットを前記第１ネットワークポート手段から前記入力手段に渡し、前記第１の他のデータおよび前記第２の他のデータを前記第１ネットワークポート手段および前記第２ネットワークポート手段の間でやりとりさせるスイッチ手段と、をさらに備える、項目１４に記載の装置。
（項目２５）
前記第１ネットワークポート手段は第１音声データを受信して、第２音声データを送信し、
前記装置は、
前記第１音声データを表す第１アナログ電話信号を送信し、前記第２音声データを表す第２アナログ電話信号を受信するアナログ電話インタフェース手段をさらに備え、
前記スイッチ手段は、前記第１ネットワークポート手段および前記アナログ電話インタフェース手段の間で前記第１音声データおよび前記第２音声データをやりとりさせる、項目２４に記載の装置。
（項目２６）
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、項目１４に記載の装置。
（項目２７）
暗号化およびエンコードされたビデオデータのパケットをネットワークから受信する段階と、
前記暗号化およびエンコードされたビデオデータを記憶デバイスに記憶する段階と、
前記記憶デバイスから前記暗号化およびエンコードされたビデオデータを取得する段階と、
前記記憶デバイスから前記暗号化およびエンコードされたビデオデータを取得しているときに、前記暗号化およびエンコードされたビデオデータを、エンコードされたビデオデータに復号化する段階と、
前記暗号化およびエンコードされたビデオデータを復号化しているときに、前記エンコードされたビデオデータを表す信号を送信する段階と、を備える方法。
（項目２８）
前記暗号化およびエンコードされたビデオデータのパケットは、前記暗号化およびエンコードされたビデオデータのインターネットプロトコルパケットを含む、項目２７に記載の方法。
（項目２９）
前記暗号化およびエンコードされたビデオデータのパケットは、前記暗号化およびエンコードされたビデオデータのイーサネットパケットを含む、項目２７に記載の方法。
（項目３０）
前記記憶デバイスは、前記エンコードされたビデオデータの実体部分を記憶しない、項目２７に記載の方法。
（項目３１）
前記ビデオデータは１以上のビデオを表し、
前記方法は、
前記記憶デバイスに記憶されている前記ビデオの数を判断する段階と、
前記記憶デバイスに記憶されている前記ビデオの数を表すメッセージを前記ネットワークに送信する段階と、をさらに備える、項目２７に記載の方法。
（項目３２）
前記記憶デバイスに記憶されている前記ビデオのうち１つを廃棄するコマンドを受信する段階と、
前記コマンドに呼応して、前記ビデオのうち前記１つを廃棄する段階と、
前記記憶デバイスに記憶されている前記ビデオの現在の数を判断する段階と、
前記記憶デバイスに記憶されている前記ビデオの前記現在の数を表すメッセージを前記ネットワークに送信する段階と、をさらに備える、項目２７に記載の方法。
（項目３３）
前記ネットワークはインターネットを含む、項目２７に記載の方法。
（項目３４）
前記エンコードされたビデオデータを表す前記信号を受信する段階と、
前記エンコードされたビデオデータを表す前記信号を受信しているときに、前記エンコードされたビデオデータをビデオデータにデコードする段階と、
前記エンコードされたビデオデータをデコードしているときに、前記ビデオデータを表すマルチメディア信号を出力する段階と、をさらに備える、項目２７に記載の方法。
（項目３５）
前記マルチメディア信号は高精細テレビ信号を含む、項目３４に記載の方法。
（項目３６）
前記暗号化およびエンコードされたビデオデータのパケットと、第１の他のデータとを前記ネットワークから受信する段階と、
第２の他のデータを前記ネットワークに送信する段階と、
前記第１の他のデータをローカルネットワークに送信する段階と、
前記第２の他のデータを前記ローカルネットワークから受信する段階と、
前記暗号化およびエンコードされたビデオデータのパケットを前記記憶デバイスに渡す段階と、
前記第１の他のデータおよび前記第２の他のデータを前記ネットワークおよび前記ローカルネットワークの間でやりとりさせる段階と、をさらに備える、項目２７に記載の方法。
（項目３７）
前記ネットワークから第１音声データを受信する段階と、
前記ネットワークへ第２音声データを送信する段階と、
前記第１音声データを表す第１アナログ電話信号を送信する段階と、
前記第２音声データを表す第２アナログ電話信号を受信する段階と、をさらに備える、項目２７に記載の方法。
（項目３８）
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、項目２７に記載の方法。
（項目３９）
プロセッサで実行可能なコンピュータプログラムであって、
ネットワークからパケットとして受信した暗号化およびエンコードされたビデオデータを記憶デバイスに記憶させる命令と、
前記記憶デバイスから前記暗号化およびエンコードされたビデオデータを取得させる命令と、
前記記憶デバイスから前記暗号化およびエンコードされたビデオデータを取得しているときに、前記暗号化およびエンコードされたビデオデータを、エンコードされたビデオデータに復号化させる命令と、を備え、
前記暗号化およびエンコードされたビデオデータを復号化しているときに、前記エンコードされたビデオデータを表す信号が送信される、コンピュータプログラム。
（項目４０）
前記暗号化およびエンコードされたビデオデータのパケットは、前記暗号化およびエンコードされたビデオデータのインターネットプロトコルパケットを含む、項目３９に記載のコンピュータプログラム。
（項目４１）
前記暗号化およびエンコードされたビデオデータのパケットは、前記暗号化およびエンコードされたビデオデータのイーサネットパケットを含む、項目３９に記載のコンピュータプログラム。
（項目４２）
前記記憶デバイスは、前記エンコードされたビデオデータの実体部分を記憶しない、項目３９に記載のコンピュータプログラム。
（項目４３）
前記ビデオデータは１以上のビデオを表し、
前記コンピュータプログラムは、
前記記憶デバイスに記憶されている前記ビデオの数を判断させる命令と、
前記記憶デバイスに記憶されている前記ビデオの数を表すメッセージを前記ネットワークに送信させる命令と、をさらに備える、項目３９に記載のコンピュータプログラム。
（項目４４）
前記記憶デバイスに記憶されている前記ビデオのうち１つを廃棄するコマンドの受信に呼応して、前記ビデオのうち前記１つを廃棄させる命令と、
前記記憶デバイスに記憶されている前記ビデオの現在の数を判断させる命令と、
前記記憶デバイスに記憶されている前記ビデオの前記現在の数を表すメッセージを前記ネットワークに送信させる命令と、をさらに備える、項目３９に記載のコンピュータプログラム。
（項目４５）
前記ネットワークはインターネットを含む、項目３９に記載のコンピュータプログラム。
（項目４６）
前記エンコードされたビデオデータを表す前記信号を受信しているときに、前記エンコードされたビデオデータをビデオデータにデコードさせる命令をさらに備え、
前記エンコードされたビデオデータをデコードしているときに、前記ビデオデータを表すマルチメディア信号が出力される、項目３９に記載のコンピュータプログラム。
（項目４７）
前記マルチメディア信号は高精細テレビ信号を含む、項目４６に記載のコンピュータプログラム。
（項目４８）
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している、項目３９に記載のコンピュータプログラム。
（項目４９）
暗号化およびエンコードされたビデオデータのパケットをネットワークから受信する入力回路と、
前記暗号化およびエンコードされたビデオデータを記憶する記憶デバイスと、
前記記憶デバイスから前記暗号化およびエンコードされたビデオデータを取得する取得回路と、
前記取得回路が前記記憶デバイスから前記暗号化およびエンコードされたビデオデータを取得しているときに、前記暗号化およびエンコードされたビデオデータを表す信号を送信する出力回路と、を備える装置。
（項目５０）
前記暗号化およびエンコードされたビデオデータのパケットは、前記暗号化およびエンコードされたビデオデータのインターネットプロトコルパケットを含む、項目４９に記載の装置。
（項目５１）
前記暗号化およびエンコードされたビデオデータのパケットは、前記暗号化およびエンコードされたビデオデータのイーサネットパケットを含む、項目４９に記載の装置。
（項目５２）
前記ビデオデータは１以上のビデオを表し、
前記装置は、
前記記憶デバイスに記憶されている前記ビデオの数を判断するキュー回路と、
前記記憶デバイスに記憶されている前記ビデオの数を表すメッセージを前記ネットワークに送信するさらなる出力回路と、をさらに備える、項目４９に記載の装置。
（項目５３）
前記記憶デバイスに記憶されている前記ビデオのうち１つを廃棄するコマンドを受信する制御回路をさらに備え、
前記記憶デバイスは、前記制御回路に呼応して、前記ビデオのうち前記１つを廃棄し、
前記キュー回路はその後、前記記憶デバイスに記憶されている前記ビデオの現在の数を判断し、
前記さらなる出力回路はその後、前記記憶デバイスに記憶されている前記ビデオの前記現在の数を表すメッセージを前記ネットワークに送信する、項目５２に記載の装置。
（項目５４）
前記ネットワークはインターネットを含む、項目４９に記載の装置。
（項目５５）
前記暗号化およびエンコードされたビデオデータを表す前記信号を受信するさらなる入力回路と、
前記さらなる入力回路が前記暗号化およびエンコードされたビデオデータを表す前記信号を受信しているときに、前記暗号化およびエンコードされたビデオデータを、エンコードされたビデオデータに復号化する復号回路と、
前記復号回路が前記エンコードされたビデオデータを復号化しているときに、前記エンコードされたビデオデータをビデオデータにデコードするデコード回路と、
前記デコード回路が前記エンコードされたビデオデータをデコードしているときに、前記ビデオデータを表すマルチメディア信号を出力するさらなる出力回路と、をさらに備える、項目５４に記載の装置。
（項目５６）
前記装置は、前記ビデオデータまたは前記エンコードされたビデオデータの実体部分を記憶しない、項目５５に記載の装置。
（項目５７）
前記マルチメディア信号は高精細テレビ信号を含む、項目５５に記載の装置。
（項目５８）
前記暗号化およびエンコードされたビデオデータのパケットと、第１の他のデータとを前記ネットワークから受信して、第２の他のデータを前記ネットワークに送信する第１ネットワークポートと、
前記第１の他のデータをローカルネットワークに送信して、前記第２の他のデータを前記ローカルネットワークから受信する第２ネットワークポートと、
前記暗号化およびエンコードされたビデオデータのパケットを前記第１ネットワークポートから前記入力回路に渡し、前記第１の他のデータおよび前記第２の他のデータを前記第１ネットワークポートおよび前記第２ネットワークポートの間でやりとりさせるスイッチと、をさらに備える、項目４９に記載の装置。
（項目５９）
前記第１ネットワークポートは第１音声データを受信して、第２音声データを送信し、
前記装置は、
前記第１音声データを表す第１アナログ電話信号を送信し、前記第２音声データを表す第２アナログ電話信号を受信するアナログ電話インタフェースをさらに備え、
前記スイッチは、前記第１ネットワークポートおよび前記アナログ電話インタフェースの間で前記第１音声データおよび前記第２音声データをやりとりさせる、項目５８に記載の装置。
（項目６０）
前記暗号化およびエンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、項目４９に記載の装置。
（項目６１）
暗号化およびエンコードされたビデオデータのパケットをネットワークから受信する入力手段と、
前記暗号化およびエンコードされたビデオデータを記憶する記憶手段と、
前記記憶手段から前記暗号化およびエンコードされたビデオデータを取得する取得手段と、
前記取得手段が前記記憶手段から前記暗号化およびエンコードされたビデオデータを取得しているときに、前記暗号化およびエンコードされたビデオデータを表す信号を送信する出力手段と、を備える装置。
（項目６２）
前記暗号化およびエンコードされたビデオデータのパケットは、前記暗号化およびエンコードされたビデオデータのインターネットプロトコルパケットを含む、項目６１に記載の装置。
（項目６３）
前記暗号化およびエンコードされたビデオデータのパケットは、前記暗号化およびエンコードされたビデオデータのイーサネットパケットを含む、項目６１に記載の装置。
（項目６４）
前記ビデオデータは１以上のビデオを表し、
前記装置は、
前記記憶手段に記憶されている前記ビデオの数を判断するキュー手段と、
前記記憶手段に記憶されている前記ビデオの数を表すメッセージを前記ネットワークに送信するさらなる出力手段と、をさらに備える、項目６１に記載の装置。
（項目６５）
前記記憶手段に記憶されている前記ビデオのうち１つを廃棄するコマンドを受信する制御手段をさらに備え、
前記記憶手段は、前記制御手段に呼応して、前記ビデオのうち前記１つを廃棄し、
前記キュー手段はその後、前記記憶手段に記憶されている前記ビデオの現在の数を判断し、
前記さらなる出力手段はその後、前記記憶手段に記憶されている前記ビデオの前記現在の数を表すメッセージを前記ネットワークに送信する、項目６４に記載の装置。
（項目６６）
前記ネットワークはインターネットを含む、項目６１に記載の装置。
（項目６７）
前記暗号化およびエンコードされたビデオデータを表す前記信号を受信するさらなる入力手段と、
前記さらなる入力手段が前記暗号化およびエンコードされたビデオデータを表す前記信号を受信しているときに、前記暗号化およびエンコードされたビデオデータを、エンコードされたビデオデータに復号化する復号手段と、
前記復号手段が前記エンコードされたビデオデータを復号化しているときに、前記エンコードされたビデオデータをビデオデータにデコードするデコード手段と、
前記デコード手段が前記エンコードされたビデオデータをデコードしているときに、前記ビデオデータを表すマルチメディア信号を出力するさらなる出力手段と、をさらに備える、項目６６に記載の装置。
（項目６８）
前記装置は、前記ビデオデータまたは前記エンコードされたビデオデータの実体部分を記憶しない、項目６７に記載の装置。
（項目６９）
前記マルチメディア信号は高精細テレビ信号を含む、項目６７に記載の装置。
（項目７０）
前記暗号化およびエンコードされたビデオデータのパケットと、第１の他のデータとを前記ネットワークから受信して、第２の他のデータを前記ネットワークに送信する第１ネットワークポート手段と、
前記第１の他のデータをローカルネットワークに送信して、前記第２の他のデータを前記ローカルネットワークから受信する第２ネットワークポート手段と、
前記暗号化およびエンコードされたビデオデータのパケットを前記第１ネットワークポート手段から前記入力手段に渡し、前記第１の他のデータおよび前記第２の他のデータを前記第１ネットワークポート手段および前記第２ネットワークポート手段の間でやりとりさせるスイッチ手段と、をさらに備える、項目６１に記載の装置。
（項目７１）
前記第１ネットワークポート手段は第１音声データを受信して、第２音声データを送信し、
前記装置は、
前記第１音声データを表す第１アナログ電話信号を送信し、前記第２音声データを表す第２アナログ電話信号を受信するアナログ電話インタフェース手段をさらに備え、
前記スイッチ手段は、前記第１ネットワークポート手段および前記アナログ電話インタフェース手段の間で前記第１音声データおよび前記第２音声データをやりとりさせる、項目７０に記載の装置。
（項目７２）
前記暗号化およびエンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、項目６１に記載の装置。
（項目７３）
暗号化およびエンコードされたビデオデータのパケットをネットワークから受信する段階と、
前記暗号化およびエンコードされたビデオデータを記憶デバイスに記憶する段階と、
前記記憶デバイスから前記暗号化およびエンコードされたビデオデータを取得する段階と、
前記記憶デバイスから前記暗号化およびエンコードされたビデオデータを取得しているときに、前記暗号化およびエンコードされたビデオデータを表す信号を送信する段階と、を備える方法。
（項目７４）
前記暗号化およびエンコードされたビデオデータのパケットは、前記暗号化およびエンコードされたビデオデータのインターネットプロトコルパケットを含む、項目７３に記載の方法。
（項目７５）
前記暗号化およびエンコードされたビデオデータのパケットは、前記暗号化およびエンコードされたビデオデータのイーサネットパケットを含む、項目７３に記載の方法。
（項目７６）
前記ビデオデータは１以上のビデオを表し、
前記方法は、
前記記憶デバイスに記憶されている前記ビデオの数を判断する段階と、
前記記憶デバイスに記憶されている前記ビデオの数を表すメッセージを前記ネットワークに送信する段階と、をさらに備える、項目７３に記載の方法。
（項目７７）
前記記憶デバイスに記憶されている前記ビデオのうち１つを廃棄するコマンドを受信する段階と、
前記コマンドに呼応して、前記ビデオのうち前記１つを廃棄する段階と、
前記記憶デバイスに記憶されている前記ビデオの現在の数を判断する段階と、
前記記憶デバイスに記憶されている前記ビデオの前記現在の数を表すメッセージを前記ネットワークに送信する段階と、をさらに備える、項目７３に記載の方法。
（項目７８）
前記ネットワークはインターネットを含む、項目７３に記載の方法。
（項目７９）
前記暗号化およびエンコードされたビデオデータを表す前記信号を受信する段階と、
前記暗号化およびエンコードされたビデオデータを表す前記信号を受信しているときに、前記暗号化およびエンコードされたビデオデータを、エンコードされたビデオデータに復号化する段階と、
前記エンコードされたビデオデータを復号化しているときに、前記エンコードされたビデオデータをビデオデータにデコードする段階と、
前記エンコードされたビデオデータをデコードしているときに、前記ビデオデータを表すマルチメディア信号を出力する段階と、をさらに備える、項目７８に記載の方法。
（項目８０）
前記マルチメディア信号は高精細テレビ信号を含む、項目７９に記載の方法。
（項目８１）
前記暗号化およびエンコードされたビデオデータのパケットと、第１の他のデータとを前記ネットワークから受信する段階と、
第２の他のデータを前記ネットワークに送信する段階と、
前記第１の他のデータをローカルネットワークに送信する段階と、
前記第２の他のデータを前記ローカルネットワークから受信する段階と、
前記暗号化およびエンコードされたビデオデータのパケットを前記ネットワークから前記記憶デバイスに渡す段階と、
前記第１の他のデータおよび前記第２の他のデータを前記ネットワークおよび前記ローカルネットワークの間でやりとりさせる段階と、をさらに備える、項目７３に記載の方法。
（項目８２）
第１音声データを前記ネットワークから受信する段階と、
第２音声データを前記ネットワークへ送信する段階と、
前記第１音声データを表す第１アナログ電話信号を送信する段階と、
前記第２音声データを表す第２アナログ電話信号を受信する段階と、をさらに備える、項目７３に記載の方法。
（項目８３）
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、項目７３に記載の方法。
（項目８４）
プロセッサで実行可能なコンピュータプログラムであって、
ネットワークからパケットとして受信した暗号化およびエンコードされたビデオデータを記憶デバイスに記憶させる命令と、
前記記憶デバイスから前記暗号化およびエンコードされたビデオデータを取得させる命令と、を備え、
前記記憶デバイスから前記暗号化およびエンコードされたビデオデータを取得しているときに、前記暗号化およびエンコードされたビデオデータを表す信号が送信される、コンピュータプログラム。
（項目８５）
前記暗号化およびエンコードされたビデオデータのパケットは、前記暗号化およびエンコードされたビデオデータのインターネットプロトコルパケットを含む、項目８４に記載のコンピュータプログラム。
（項目８６）
前記暗号化およびエンコードされたビデオデータのパケットは、前記暗号化およびエンコードされたビデオデータのイーサネットパケットを含む、項目８４に記載のコンピュータプログラム。
（項目８７）
前記ビデオデータは１以上のビデオを表し、
前記コンピュータプログラムは、
前記記憶デバイスに記憶されている前記ビデオの数を判断させる命令と、
前記記憶デバイスに記憶されている前記ビデオの数を表すメッセージを前記ネットワークに送信させる命令と、をさらに備える、項目８４に記載のコンピュータプログラム。
（項目８８）
受信されたコマンドに呼応して、前記記憶デバイスに記憶されている前記ビデオのうちの１つを廃棄させる命令と、
前記記憶デバイスに記憶されている前記ビデオの現在の数を判断させる命令と、
前記記憶デバイスに記憶されている前記ビデオの前記現在の数を表すメッセージを前記ネットワークに送信させる命令と、を備える、項目８４に記載のコンピュータプログラム。
（項目８９）
前記ネットワークはインターネットを含む、項目８４に記載のコンピュータプログラム。
（項目９０）
前記暗号化およびエンコードされたビデオデータを表す信号を受信しているときに、前記暗号化およびエンコードされたビデオデータを、エンコードされたビデオデータに復号化させる命令と、
前記エンコードされたビデオデータを復号化しているときに、前記エンコードされたビデオデータをビデオデータにデコードさせる命令と、をさらに備え、
前記エンコードされたビデオデータをデコードしているときに、前記ビデオデータを表すマルチメディア信号が出力される、項目８９に記載のコンピュータプログラム。
（項目９１）
前記マルチメディア信号は高精細テレビ信号を含む、項目９０に記載のコンピュータプログラム。
（項目９２）
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、項目８４に記載のコンピュータプログラム。
（項目９３）
暗号化およびエンコードされたビデオデータのパケットをネットワークから受信する入力回路と、
前記暗号化およびエンコードされたビデオデータを記憶する記憶デバイスと、
前記記憶デバイスから前記暗号化およびエンコードされたビデオデータを取得する取得回路と、
前記取得回路が前記記憶デバイスから前記暗号化およびエンコードされたビデオデータを取得しているときに、前記暗号化およびエンコードされたビデオデータを、エンコードされたビデオデータに復号化する復号回路と、
前記復号回路が前記暗号化およびエンコードされたビデオデータを復号化しているときに、前記エンコードされたビデオデータをビデオデータにデコードするデコード回路と、
前記デコード回路が前記エンコードされたビデオデータをデコードしているときに、前記ビデオデータを表すマルチメディア信号を出力する出力回路と、を備える装置。
（項目９４）
前記暗号化およびエンコードされたビデオデータのパケットは、前記暗号化およびエンコードされたビデオデータのインターネットプロトコルパケットを含む、項目９３に記載の装置。
（項目９５）
前記暗号化およびエンコードされたビデオデータのパケットは、前記暗号化およびエンコードされたビデオデータのイーサネットパケットを含む、項目９３に記載の装置。
（項目９６）
前記記憶デバイスは、前記エンコードされたビデオデータまたは前記ビデオデータの実体部分を記憶しない、項目９３に記載の装置。
（項目９７）
前記ビデオデータは１以上のビデオを表し、
前記装置は、
前記記憶デバイスに記憶されている前記ビデオの数を判断するキュー回路と、
前記記憶デバイスに記憶されている前記ビデオの数を表すメッセージを前記ネットワークに送信するさらなる出力回路と、をさらに備える、項目９３に記載の装置。
（項目９８）
前記記憶デバイスに記憶されている前記ビデオのうち１つを廃棄するコマンドを受信する制御回路をさらに備え、
前記記憶デバイスは、前記制御回路に呼応して、前記ビデオのうち前記１つを廃棄し、
前記キュー回路はその後、前記記憶デバイスに記憶されている前記ビデオの現在の数を判断し、
前記さらなる出力回路はその後、前記記憶デバイスに記憶されている前記ビデオの前記現在の数を表すメッセージを前記ネットワークに送信する、項目９７に記載の装置。
（項目９９）
前記ネットワークはインターネットを含む、項目９３に記載の装置。
（項目１００）
前記マルチメディア信号は高精細テレビ信号を含む、項目９３に記載の装置。
（項目１０１）
前記暗号化およびエンコードされたビデオデータのパケットと、第１の他のデータとを前記ネットワークから受信して、第２の他のデータを前記ネットワークに送信する第１ネットワークポートと、
前記第１の他のデータをローカルネットワークに送信して、前記第２の他のデータを前記ローカルネットワークから受信する第２ネットワークポートと、
前記暗号化およびエンコードされたビデオデータのパケットを前記第１ネットワークポートから前記入力回路に渡し、前記第１の他のデータおよび前記第２の他のデータを前記第１ネットワークポートおよび前記第２ネットワークポートの間でやりとりさせるスイッチと、をさらに備える、項目９３に記載の装置。
（項目１０２）
前記第１ネットワークポートは第１音声データを受信して、第２音声データを送信し、
前記装置は、
前記第１音声データを表す第１アナログ電話信号を送信し、前記第２音声データを表す第２アナログ電話信号を受信するアナログ電話インタフェースをさらに備え、
前記スイッチは、前記第１ネットワークポートおよび前記アナログ電話インタフェースの間で前記第１音声データおよび前記第２音声データをやりとりさせる、項目１０１に記載の装置。
（項目１０３）
暗号化およびエンコードされたビデオデータのパケットをネットワークから受信する入力手段と、
前記暗号化およびエンコードされたビデオデータを記憶する記憶手段と、
前記記憶手段から前記暗号化およびエンコードされたビデオデータを取得する取得手段と、
前記取得手段が前記記憶手段から前記暗号化およびエンコードされたビデオデータを取得しているときに、前記暗号化およびエンコードされたビデオデータを、エンコードされたビデオデータに復号化する復号手段と、
前記復号手段が前記暗号化およびエンコードされたビデオデータを復号化しているときに、前記エンコードされたビデオデータをビデオデータにデコードするデコード手段と、
前記デコード手段が前記エンコードされたビデオデータをデコードしているときに、前記ビデオデータを表すマルチメディア信号を出力する出力手段と、を備える装置。
（項目１０４）
前記暗号化およびエンコードされたビデオデータのパケットは、前記暗号化およびエンコードされたビデオデータのインターネットプロトコルパケットを含む、項目１０３に記載の装置。
（項目１０５）
前記暗号化およびエンコードされたビデオデータのパケットは、前記暗号化およびエンコードされたビデオデータのイーサネットパケットを含む、項目１０３に記載の装置。
（項目１０６）
前記記憶手段は、前記エンコードされたビデオデータまたは前記ビデオデータの実体部分を記憶しない、項目１０３に記載の装置。
（項目１０７）
前記ビデオデータは１以上のビデオを表し、
前記装置は、
前記記憶手段に記憶されている前記ビデオの数を判断するキュー手段と、
前記記憶手段に記憶されている前記ビデオの数を表すメッセージを前記ネットワークに送信するさらなる出力手段と、をさらに備える、項目１０３に記載の装置。
（項目１０８）
前記記憶手段に記憶されている前記ビデオのうち１つを廃棄するコマンドを受信する制御手段をさらに備え、
前記記憶手段は、前記制御手段に呼応して、前記ビデオのうち前記１つを廃棄し、
前記キュー手段はその後、前記記憶手段に記憶されている前記ビデオの現在の数を判断し、
前記さらなる出力手段はその後、前記記憶手段に記憶されている前記ビデオの前記現在の数を表すメッセージを前記ネットワークに送信する、項目１０７に記載の装置。
（項目１０９）
前記ネットワークはインターネットを含む、項目１０３に記載の装置。
（項目１１０）
前記マルチメディア信号は高精細テレビ信号を含む、項目１０３に記載の装置。
（項目１１１）
前記暗号化およびエンコードされたビデオデータのパケットと、第１の他のデータとを前記ネットワークから受信して、第２の他のデータを前記ネットワークに送信する第１ネットワークポート手段と、
前記第１の他のデータをローカルネットワークに送信して、前記第２の他のデータを前記ローカルネットワークから受信する第２ネットワークポート手段と、
前記暗号化およびエンコードされたビデオデータのパケットを前記第１ネットワークポート手段から前記入力手段に渡し、前記第１の他のデータおよび前記第２の他のデータを前記第１ネットワークポート手段および前記第２ネットワークポート手段の間でやりとりさせるスイッチ手段と、をさらに備える、項目１０３に記載の装置。
（項目１１２）
前記第１ネットワークポート手段は第１音声データを受信して、第２音声データを送信し、
前記装置は、
前記第１音声データを表す第１アナログ電話信号を送信し、前記第２音声データを表す第２アナログ電話信号を受信するアナログ電話インタフェース手段をさらに備え、
前記スイッチ手段は、前記第１ネットワークポート手段および前記アナログ電話インタフェース手段の間で前記第１音声データおよび前記第２音声データをやりとりさせる、項目１１１に記載の装置。
（項目１１３）
暗号化およびエンコードされたビデオデータのパケットをネットワークから受信する段階と、
前記暗号化およびエンコードされたビデオデータを記憶デバイスに記憶する段階と、
前記記憶デバイスから前記暗号化およびエンコードされたビデオデータを取得する段階と、
前記記憶デバイスから前記暗号化およびエンコードされたビデオデータを取得しているときに、前記暗号化およびエンコードされたビデオデータを、エンコードされたビデオデータに復号化する段階と、
前記暗号化およびエンコードされたビデオデータを復号化しているときに、前記暗号化およびエンコードされたビデオデータをビデオデータにデコードする段階と、
前記エンコードされたビデオデータをデコードしているときに、前記ビデオデータを表すマルチメディア信号を出力する段階と、を備える方法。
（項目１１４）
前記暗号化およびエンコードされたビデオデータのパケットは、前記暗号化およびエンコードされたビデオデータのインターネットプロトコルパケットを含む、項目１１３に記載の方法。
（項目１１５）
前記暗号化およびエンコードされたビデオデータのパケットは、前記暗号化およびエンコードされたビデオデータのイーサネットパケットを含む、項目１１３に記載の方法。
（項目１１６）
前記記憶デバイスは、前記エンコードされたビデオデータまたは前記ビデオデータの実体部分を記憶しない、項目１１３に記載の方法。
（項目１１７）
前記ビデオデータは１以上のビデオを表し、
前記方法は、
前記記憶デバイスに記憶されている前記ビデオの数を判断する段階と、
前記記憶デバイスに記憶されている前記ビデオの数を表すメッセージを前記ネットワークに送信する段階と、をさらに備える、項目１１３に記載の方法。
（項目１１８）
前記記憶デバイスに記憶されている前記ビデオのうち１つを廃棄するコマンドを受信する段階と、
前記コマンドに呼応して、前記ビデオのうち前記１つを廃棄する段階と、
前記記憶デバイスに記憶されている前記ビデオの現在の数を判断する段階と、
前記記憶デバイスに記憶されている前記ビデオの前記現在の数を表すメッセージを前記ネットワークに送信する段階と、をさらに備える、項目１１３に記載の方法。
（項目１１９）
前記ネットワークはインターネットを含む、項目１１３に記載の方法。
（項目１２０）
前記マルチメディア信号は高精細テレビ信号を含む、項目１１３に記載の方法。
（項目１２１）
前記暗号化およびエンコードされたビデオデータのパケットと、第１の他のデータとを前記ネットワークから受信する段階と、
第２の他のデータを前記ネットワークに送信する段階と、
前記第１の他のデータをローカルネットワークに送信する段階と、
前記第２の他のデータを前記ローカルネットワークから受信する段階と、
前記暗号化およびエンコードされたビデオデータのパケットを前記ネットワークから前記記憶デバイスに渡す段階と、
前記第１の他のデータおよび前記第２の他のデータを前記ネットワークおよび前記ローカルネットワークの間でやりとりさせる段階と、をさらに備える、項目１１３に記載の方法。
（項目１２２）
前記ネットワークから第１音声データを受信する段階と、
第２音声データを前記ネットワークに送信する段階と、
前記第１音声データを表す第１アナログ電話信号を送信する段階と、
前記第２音声データを表す第２アナログ電話信号を受信する段階と、をさらに備える、項目１１３に記載の方法。
（項目１２３）
プロセッサで実行可能なコンピュータプログラムであって、
ネットワークからパケットとして受信した暗号化およびエンコードされたビデオデータを記憶デバイスに記憶させる命令と、
前記記憶デバイスから前記暗号化およびエンコードされたビデオデータを取得させる命令と、
前記記憶デバイスから前記暗号化およびエンコードされたビデオデータを取得しているときに、前記暗号化およびエンコードされたビデオデータを、エンコードされたビデオデータに復号化させる命令と、
前記暗号化およびエンコードされたビデオデータを復号化しているときに、前記エンコードされたビデオデータをビデオデータにデコードさせる命令と、
前記エンコードされたビデオデータをデコードしているときに、前記ビデオデータを表すマルチメディア信号が送信される、コンピュータプログラム。
（項目１２４）
前記暗号化およびエンコードされたビデオデータのパケットは、前記暗号化およびエンコードされたビデオデータのインターネットプロトコルパケットを含む、項目１２３に記載のコンピュータプログラム。
（項目１２５）
前記暗号化およびエンコードされたビデオデータのパケットは、前記暗号化およびエンコードされたビデオデータのイーサネットパケットを含む、項目１２３に記載のコンピュータプログラム。
（項目１２６）
前記記憶デバイスは、前記エンコードされたビデオデータまたは前記ビデオデータの実体部分を記憶しない、項目１２３に記載のコンピュータプログラム。
（項目１２７）
前記ビデオデータは１以上のビデオを表し、
前記コンピュータプログラムは、
前記記憶デバイスに記憶されている前記ビデオの数を判断させる命令と、
前記記憶デバイスに記憶されている前記ビデオの数を表すメッセージを前記ネットワークに送信させる命令と、をさらに備える、項目１２３に記載のコンピュータプログラム。
（項目１２８）
受信されたコマンドに呼応して、前記記憶デバイスに記憶されている前記ビデオのうち１つを廃棄させる命令と、
前記記憶デバイスに記憶されている前記ビデオの現在の数を判断させる命令と、
前記記憶デバイスに記憶されている前記ビデオの前記現在の数を表すメッセージを前記ネットワークに送信させる命令と、をさらに備える、項目１２３に記載のコンピュータプログラム。
（項目１２９）
前記ネットワークはインターネットを含む、項目１２３に記載のコンピュータプログラム。
（項目１３０）
前記マルチメディア信号は高精細テレビ信号を含む、項目１２３に記載のコンピュータプログラム。
（項目１３１）
入手可能な暗号化ビデオのリストを提供する段階と、
カスタマから前記暗号化ビデオのうち１以上の選択を受信する段階と、
前記選択された暗号化ビデオの識別子を前記カスタマの待ち行列に追加する段階と、
前記カスタマに関連付けられた記憶デバイスに記憶されている前記暗号化ビデオの数の情報を受信する段階と、
前記記憶デバイスに記憶されている前記暗号化ビデオの数が所定の最大数を下回る場合、前記待ち行列内の前記識別子のうちいずれかを有する前記暗号化ビデオのうちの１つを前記記憶デバイスに電子送信する段階と、を備えるビジネスメソッド。
（項目１３２）
前記カスタマに対して定期的間隔で課金する段階と、
前記カスタマに送信した前記暗号化ビデオの各々について前記カスタマに対して課金する段階と、のうち少なくともいずれかをさらに備える、項目１３１に記載のビジネスメソッド。
（項目１３３）
前記暗号化ビデオのうちの前記１つを前記記憶デバイスに送信した後で、前記待ち行列から前記暗号化ビデオのうちの前記１つの識別子を削除する段階をさらに備える、項目１３１に記載のビジネスメソッド。
（項目１３４）
プロセッサで実行可能なコンピュータプログラムであって、
入手可能な暗号化ビデオのリストを提供させる命令と、
カスタマから前記暗号化ビデオのうち１以上の選択を受信するのに呼応して、前記暗号化ビデオのうち１以上の識別子を前記カスタマの待ち行列に追加させる命令と、
記憶デバイスに記憶されている前記暗号化ビデオの数が所定の最大数を下回る場合、前記待ち行列内の前記識別子のうちいずれかを有する前記暗号化ビデオのうちの１つを前記記憶デバイスに電子送信させる命令と、を備えるコンピュータプログラム。
（項目１３５）
前記カスタマに対して定期的間隔で課金させる命令と、
前記カスタマに送信した前記暗号化ビデオの各々について前記カスタマに対して課金させる命令と、のうち少なくともいずれかをさらに備える、項目１３４に記載のコンピュータプログラム。
（項目１３６）
前記暗号化ビデオのうちの前記１つを前記記憶デバイスに送信した後で、前記待ち行列から前記暗号化ビデオのうちの前記１つの識別子を削除させる命令をさらに備える、項目１３４に記載のコンピュータプログラム。
【手続補正２】
【補正対象書類名】特許請求の範囲
【補正対象項目名】全文
【補正方法】変更
【補正の内容】
【特許請求の範囲】
【請求項１】
暗号化およびエンコードされたビデオデータのパケットをネットワークから受信する入力回路と、
前記暗号化およびエンコードされたビデオデータを記憶する記憶デバイスと、
前記記憶デバイスから前記暗号化およびエンコードされたビデオデータを取得する取得回路と、
前記取得回路が前記記憶デバイスから前記暗号化およびエンコードされたビデオデータを取得しているときに、前記暗号化およびエンコードされたビデオデータを、エンコードされたビデオデータに復号化する復号回路と、
前記復号回路が前記暗号化およびエンコードされたビデオデータを復号化しているときに、前記エンコードされたビデオデータを表す信号を送信する出力回路と、を備える装置。
【請求項２】
前記暗号化およびエンコードされたビデオデータのパケットは、前記暗号化およびエンコードされたビデオデータのインターネットプロトコルパケットを含む、請求項１に記載の装置。
【請求項３】
前記暗号化およびエンコードされたビデオデータのパケットは、前記暗号化およびエンコードされたビデオデータのイーサネットパケットを含む、請求項１に記載の装置。
【請求項４】
前記記憶デバイスは、前記エンコードされたビデオデータの実体部分は記憶しない、請求項１に記載の装置。
【請求項５】
前記ビデオデータは１以上のビデオを表し、
前記装置は、
前記記憶デバイスに記憶されている前記ビデオの数を判断するキュー回路と、
前記記憶デバイスに記憶されている前記ビデオの数を表すメッセージを前記ネットワークに送信するさらなる出力回路と、をさらに備える、請求項１に記載の装置。
【請求項６】
前記記憶デバイスに記憶されている前記ビデオのうち１つを廃棄するコマンドを受信する制御回路をさらに備え、
前記記憶デバイスは、前記制御回路に呼応して、前記ビデオのうち前記１つを廃棄し、
前記キュー回路はその後、前記記憶デバイスに記憶されている前記ビデオの現在の数を判断し、
前記さらなる出力回路はその後、前記記憶デバイスに記憶されている前記ビデオの前記現在の数を表すメッセージを前記ネットワークに送信する、請求項５に記載の装置。
【請求項７】
前記ネットワークはインターネットを含む、請求項１に記載の装置。
【請求項８】
前記エンコードされたビデオデータを表す前記信号を受信するさらなる入力回路と、
前記さらなる入力回路が前記エンコードされたビデオデータを表す前記信号を受信しているときに、前記エンコードされたビデオデータをビデオデータにデコードするデコード回路と、
前記デコード回路が前記エンコードされたビデオデータをデコードしているときに、前記ビデオデータを表すマルチメディア信号を出力するさらなる出力回路と、をさらに備える、請求項１に記載の装置。
【請求項９】
前記装置は、前記ビデオデータまたは前記エンコードされたビデオデータの実体部分を記憶しない、請求項８に記載の装置。
【請求項１０】
前記マルチメディア信号は高精細テレビ信号を含む、請求項８に記載の装置。
【請求項１１】
前記暗号化およびエンコードされたビデオデータのパケットと、第１の他のデータとを前記ネットワークから受信して、第２の他のデータを前記ネットワークに送信する第１ネットワークポートと、
前記第１の他のデータをローカルネットワークに送信して、前記第２の他のデータを前記ローカルネットワークから受信する第２ネットワークポートと、
前記暗号化およびエンコードされたビデオデータのパケットを前記第１ネットワークポートから前記入力回路に渡し、前記第１の他のデータおよび前記第２の他のデータを前記第１ネットワークポートおよび前記第２ネットワークポートの間でやりとりさせるスイッチと、をさらに備える、請求項１に記載の装置。
【請求項１２】
前記第１ネットワークポートは第１音声データを受信して、第２音声データを送信し、
前記装置は、
前記第１音声データを表す第１アナログ電話信号を送信し、前記第２音声データを表す第２アナログ電話信号を受信するアナログ電話インタフェースをさらに備え、
前記スイッチは、前記第１ネットワークポートおよび前記アナログ電話インタフェースの間で前記第１音声データおよび前記第２音声データをやりとりさせる、請求項１１に記載の装置。
【請求項１３】
前記エンコードされたビデオデータを表す前記信号は、ＩＥＥＥ規格８０２．１１、８０２．１１ａ、８０２．１１ｂ、８０２．１１ｇ、８０２．１１ｎ、８０２．１６、および８０２．２０からなる群から選択された少なくとも１つの規格に準拠している無線信号である、請求項１に記載の装置。
【国際調査報告】
2010507986.tif 000016
2010507986.tif 000017